(57)【要約】【課題】ネットワークの最適化された切換を実現するための方法およびシステムが開示される。【解決手段】ソースネットワークからターゲットネットワークへの切替のための準備における接続確立プロセスにおいて、ＳＧＷおよびＰＤＮ  ＧＷの間の接続が設定される場合、ＳＧＷが、ユーザプレーンの上りリンクのデータパスおよび下りリンクのデータパスをソースネットワークからターゲットネットワークへ切り替えないようにＰＤＮ  ＧＷへ指示するメッセージをＰＤＮ  ＧＷに送信し、ソースネットワークからターゲットネットワークへの切換準備が完了した後に、ＳＧＷが、ユーザプレーンの上りリンクのデータパスおよび下りリンクのデータパスをソースネットワークからターゲットネットワークへ切り替えるようにＰＤＮ  ＧＷへ指示する。【選択図】図１３
2014207703.tif 000002
【特許請求の範囲】
【請求項１】
ＵＥあるいはソースネットワークがターゲットネットワークへの切換準備を決定した場合の、最適化されたｉｎｔｅｒ−ＲＡＴ切換を実装するための方法であって、
受信したセルＩＤに従って、セルＩＤとターゲットネットワークＩＤとの間の設定されたマッピング関係から、対応するターゲットネットワークＩＤを取得することと、
前記ターゲットネットワークのアクセスノードを決定した後、ターゲットネットワークベアラを設定することと、
切換準備を終了した後に、前記ＵＥを前記ターゲットネットワークに接続することと、
を含む方法。
【請求項２】
前記対応するターゲットネットワークＩＤを取得することが、
他のアクセスノード（ＡＮ）により、受信したセルＩＤに従って、セルＩＤとターゲットネットワークＩＤとの間の設定されたマッピング関係から対応するターゲットネットワークＩＤを取得することと、
前記他のＡＮにより、前記取得されたターゲットＩＤ情報を移動管理エンティティ（ＭＭＥ）へ送信することと、
を含むことを特徴とする請求項１に記載の方法。
【請求項３】
前記対応するターゲットネットワークＩＤを取得することが、
前記他のＡＮにより前記受信したターゲットＩＤをＭＭＥへ送信することと、
前記ＭＭＥにより、受信したセルＩＤに従ってセルＩＤとターゲットネットワークＩＤとの間の設定されたマッピング関係から、対応するターゲットネットワークＩＤを取得することと、
を含むことを特徴とする請求項１に記載の方法。
【請求項４】
最適化されたｉｎｔｅｒ−ＲＡＴ切換を実装するための方法であって、
ソースネットワークにおいて切換の準備をすることを決定した場合に、ＵＥにより、前記ソースネットワークを介してターゲットネットワークへの接続確立プロセスを開始することと、
前記ターゲットネットワークのＭＭＥにより、接続要求を受信し、ＳＧＷへの接続を確立することと、
前記ＳＧＷへの前記接続が終了した後、前記ＭＭＥにより、切換の接続確立プロセスが進行中であると判定し、前記ターゲットネットワークのアクセスノード（ＡＮ）へのリソース予約プロセスを開始することと、
切換準備を終了した後に前記ＵＥをターゲットネットワークに接続することと、
を含む方法。
【請求項５】
前記ターゲットネットワークのＡＮへのリソース予約プロセスを開始することが、
前記ＭＭＥにより、ＳＧＷ情報、ＵＥの機能パラメータ、セキュリティモードパラメータを含むリソース予約要求をＥ−ＵＴＲＡＮへ送信することと、
前記ターゲットネットワークの前記ＡＮにより、前記ターゲットネットワークの前記選択されたＡＮ情報と切換命令を含む、リソース予約応答を受信し前記ＭＭＥへ返すステップと、
を含み、
前記切換命令は、選択されたセキュリティパラメータおよび無線リソース制御（ＲＲＣ）構成情報とを含むことを特徴とする請求項４に記載の方法。
【請求項６】
最適化されたｉｎｔｅｒ−ＲＡＴ切換を実装するための方法であって、
ソースネットワークにおいて切換のための準備をすることを決定した場合に、ＵＥによって、前記ソースネットワークを介してターゲットネットワークへの接続確立プロセスを開始することと、
ベアラ設定制御エンティティによって、前記ターゲットネットワークへのベアラ設定プロセスを開始することと、
ＭＭＥによって、ＳＧＷからベアラ設定要求を受信し、リソース予約要求を送信し、前記ターゲットネットワークのＡＮに、エアインタフェース接続を確立しないように指示し、
前記ターゲットネットワークのＡＮによって、前記リソース予約要求を受信し、リソースを予約することと、
前記ＭＭＥによって、前記ターゲットネットワークの前記ＡＮからの応答メッセージを受信し、応答メッセージを前記ＳＧＷへ送信することと、
前記ベアラ設定制御エンティティによって、ベアラ設定を完了した後に、ベアラが確立されたことを前記ＭＭＥへ指示する、ベアラ設定完了通知を前記ＭＭＥへ送信することと、
切換準備を完了した後に前記ＵＥをターゲットネットワークに接続することと、
を含む方法。
【請求項７】
前記ベアラ設定制御エンティティが、ＳＧＷとパケットデータネットワークゲートウェイ（ＰＤＮ  ＧＷ）とを含む請求項６に記載の方法。
【請求項８】
前記ターゲットネットワークのＡＮへエアインタフェース接続を確立しないように指示する前記情報が、指示パラメータあるいは特定のメッセージを介して取得され、前記指示パラメータは前記リソース予約要求に保持される指示パラメータであり、前記特定のメッセージは前記リソース予約要求である請求項６に記載の方法。
【請求項９】
前記応答メッセージが、ベアラ設定成功情報およびベアラ設定失敗情報を含む請求項６に記載の方法。
【請求項１０】
ベアラが確立されたことを前記ＭＭＥへ指示する前記情報は、指示パラメータあるいは特定メッセージを介して取得され、前記指示パラメータは前記ベアラ設定完了通知に保持される指示パラメータであり、前記特定メッセージはベアラ設定完了通知である請求項６に記載の方法。
【請求項１１】
最適化されたｉｎｔｅｒ−ＲＡＴ切換を実装するための方法であって、
ソースネットワークにおいて切換のための準備をすることを決定した場合に、ＵＥによって、前記ソースネットワークを介してターゲットネットワークへの接続確立プロセスを開始することと、
ＳＧＷおよびＰＤＮ  ＧＷの間の接続が設定される場合に、ＭＭＥもしくは前記ＳＧＷによって、ユーザプレーンの上りリンクのデータパスおよび下りリンクのデータパスをソースネットワークからターゲットネットワークへ切り替えないように、ＰＤＮ  ＧＷへ指示することと、
切換準備が完了した後に前記ＵＥを前記ターゲットネットワークへ接続し、前記ＭＭＥもしくは前記ＳＧＷによって、ユーザプレーンの上りリンクのデータパスおよび下りリンクのデータパスを前記ソースネットワークから前記ターゲットネットワークへ切り替えるように、前記ＰＤＮ  ＧＷへ指示することと、
を含む方法。
【請求項１２】
前記ＳＧＷと前記ＰＤＮ  ＧＷとの間の接続が設定される場合に、
前記ＳＧＷがターゲットネットワークの前記ＡＮに対してデフォルトおよび／または専用のベアラの設定を完了した後、前記ＰＤＮ  ＧＷへの接続の設定を開始すること、もしくは
前記ＳＧＷがターゲットネットワークの前記ＡＮに対してデフォルトおよび／または専用のベアラの設定を完了する前に、前記ＰＤＮ  ＧＷへの接続の設定を開始すること、
を含む請求項１１に記載の方法。
【請求項１３】
ＭＭＥもしくはＳＧＷによって、ユーザプレーン上りリンクのデータパスおよび下りリンクのデータパスを前記ソースネットワークから前記ターゲットネットワークへ切り替えないようにＰＤＮ  ＧＷに指示することは、
前記ＳＧＷによって、前記ＭＭＥによって送信された指示を前記ＰＤＮ  ＧＷへ直接送信することと、
前記ユーザプレーンの上りリンクのデータパスおよび下りリンクのデータパスを前記ソースネットワークから前記ターゲットネットワークへ切り替えないように前記ＰＤＮ  ＧＷへ指示すること、もしくは
前記ＳＧＷによって指示を再生し、前記指示を前記ＰＤＮ  ＧＷへ送信し、前記ユーザプレーンの上りリンクのデータパスおよび下りリンクのデータパスを前記ソースネットワークから前記ターゲットネットワークへ切り替えないように前記ＰＤＮ  ＧＷへ指示すること、
を含む請求項１１に記載の方法。
【請求項１４】
前記ＭＭＥもしくは前記ＳＧＷによって、ユーザプレーン上りリンクおよび下りリンクのデータパスを前記ソースネットワークから前記ターゲットネットワークへ切り替えるように前記ＰＤＮ  ＧＷに指示することは、
前記ＳＧＷによって、前記ＭＭＥによって送信された指示を前記ＰＤＮ  ＧＷへ直接送信し、前記ユーザプレーンの上りリンクのデータパスおよび下りリンクのデータパスを前記ソースネットワークから前記ターゲットネットワークへ切り替えるように前記ＰＤＮ  ＧＷへ指示すること、もしくは、
前記ＳＧＷによって新しい指示を再生し、前記指示を前記ＰＤＮ  ＧＷへ送信し、前記ユーザプレーンの上りリンクのデータパスおよび下りリンクのデータパスを前記ソースネットワークから前記ターゲットネットワークへ切り替えるように前記ＰＤＮ  ＧＷへ指示すること、
を含む請求項１１に記載の方法。
【請求項１５】
前記ＰＤＮ  ＧＷへの前記指示が指示パラメータあるいは特定のメッセージを介して取得され、前記指示パラメータは、前記ＳＧＷにより前記ＰＤＮ  ＧＷへ送信される前記接続設定あるいは更新メッセージに保持される拡張指示パラメータであり、前記特定のメッセージは前記ＳＧＷにより前記ＰＤＮ  ＧＷへ送信される接続設定あるいは更新メッセージである請求項１３ないしは１４に記載の方法。
【請求項１６】
最適化されたｉｎｔｅｒ−ＲＡＴ切換を実装するための方法であって、
ソースネットワークにおいて切換準備をすることを決定した場合に、ＵＥにより前記ソースネットワークを介してターゲットネットワークへの接続確立プロセスを開始することと、
ＳＧＷとＰＤＮ  ＧＷとの間の接続が設定される場合に、ターゲットネットワークのベアラの設定が完了したことを判定した後に、ＭＭＥあるいは前記ＳＧＷにより前記ＰＤＮ  ＧＷにユーザプレーン下りリンクのデータパスを前記ソースネットワークから前記ターゲットネットワークへ切り替え、ユーザプレーン上りリンクのデータパスを前記ソースネットワーク内に保持するように指示することと、
切換準備が完了した後に前記ＵＥを前記ターゲットネットワークへ接続し、前記ＭＭＥもしくは前記ＳＧＷにより、ユーザプレーン上りリンクのデータパスを前記ソースネットワークから前記ターゲットネットワークへ切り替えるように前記ＰＤＮ  ＧＷへ指示することと、
を含む方法。
【請求項１７】
前記ＳＧＷと前記ＰＤＮ  ＧＷとの間の接続が設定される場合に、
前記ＳＧＷがターゲットネットワークの前記ＡＮに対してデフォルトおよび／または専用のベアラの設定を完了した後、前記ＰＤＮ  ＧＷへの接続の設定を開始すること、もしくは
前記ＳＧＷがターゲットネットワークの前記ＡＮに対してデフォルトおよび／または専用のベアラの設定を完了する前に、前記ＰＤＮ  ＧＷへの接続の設定を開始すること、
を含むことを特徴とする請求項１６に記載の方法。
【請求項１８】
ターゲットネットワークのベアラの設定が完了したことを判定した後に、ＭＭＥあるいは前記ＳＧＷによりＰＤＮ  ＧＷにユーザプレーン下りリンクのデータパスを前記ソースネットワークから前記ターゲットネットワークへ切り替え、ユーザプレーン上りリンクのデータパスを前記ソースネットワーク内に保持するように指示する前記ステップが、
前記ＳＧＷにより、前記ＭＭＥによって送信された指示を前記ＰＤＮ  ＧＷへ直接送信し、
ターゲットネットワークのベアラの設定が完了したことを判定した後に、前記ＰＤＮ  ＧＷにユーザプレーン下りリンクのデータパスを前記ソースネットワークから前記ターゲットネットワークへ切り替え、ユーザプレーン上りリンクデータパスを前記ソースネットワーク内に保持するように指示すること、もしくは
前記ＳＧＷにより、指示を再生し、前記指示を前記ＰＤＮ  ＧＷへ送信し、ターゲットネットワークのベアラの設定が完了したことを判定した後に、前記ＰＤＮ  ＧＷにユーザプレーン下りリンクのデータパスを前記ソースネットワークから前記ターゲットネットワークへ切り替え、ユーザプレーン上りリンクのデータパスを前記ソースネットワーク内に保持するように指示すること、
を含むことを特徴とする請求項１６に記載の方法。
【請求項１９】
前記ＭＭＥもしくは前記ＳＧＷによって、前記ＰＤＮ  ＧＷにユーザプレーン上りリンクのデータパスを前記ソースネットワークから前記ターゲットネットワークへ切り替えるように指示する前記ステップが、
前記ＭＭＥによって送信された指示を前記ＳＧＷにより前記ＰＤＮ  ＧＷへ直接送信すること、もしくは
前記ユーザプレーンの上りリンクおよび下りリンクのデータパスを前記ソースネットワークから前記ターゲットネットワークへ切り替えるようにＰＤＮ  ＧＷへ指示すること、もしくは
前記ＳＧＷにより指示を再生し、前記指示を前記ＰＤＮ  ＧＷへ送信し、前記ユーザプレーンの上りリンクおよび下りリンクのデータパスを前記ソースネットワークから前記ターゲットネットワークへ切り替えるように前記ＰＤＮ  ＧＷへ指示すること、
を含むことを特徴とする請求項１６に記載の方法。
【請求項２０】
前記ＰＤＮ  ＧＷへの前記指示が指示パラメータあるいは特定のメッセージを介して取得され、前記指示パラメータは、前記ＳＧＷにより前記ＰＤＮ  ＧＷへ送信される接続設定あるいは更新メッセージと一緒に送られる拡張指示パラメータであり、前記特定のメッセージは前記ＳＧＷにより前記ＰＤＮ  ＧＷへ送信される前記接続設定あるいは更新メッセージであることを特徴とする請求項１８もしくは１９に記載の方法。
【請求項２１】
最適化されたｉｎｔｅｒ−ＲＡＴ切換を実装するための方法であって、
ソースネットワークにおいて切換のための準備をすることを判定した場合に、ＵＥによって、前記ソースネットワークを介してターゲットネットワークへの接続確立プロセスを開始することと、
ベアラ接続要求を受信した後に、ＰＤＮ  ＧＷによって、ポリシーおよび課金ルール機能（ＰＣＲＦ）との対話を開始し、前記ターゲットネットワークに対応する、ポリシーおよび課金制御（ＰＣＣ）ルールを取得することと、
前記ＰＤＮ  ＧＷによって、前記ソースネットワークと前記ターゲットネットワークとに対応する２組のＰＣＣルールを同時に実行し、前記ターゲットネットワークに対してベアラ設定プロセスを開始することと、
切換準備が完了した後に、前記ターゲットネットワークに前記ＵＥを接続する際に、前記ＰＤＮ  ＧＷによって、前記ソースネットワークへ対応する前記ＰＣＣルールを削除することと、
を含むことを特徴とする方法。
【請求項２２】
受信ユニットと処理ユニットとを含むＭＭＥ装置であって、
前記受信ユニットは、セルＩＤを受信し、前記セルＩＤを前記処理ユニットへ送信するように構成され、
前記処理ユニットは、前記セルＩＤを受信し、セルＩＤとターゲットネットワークＩＤとの間の設定されたマッピングから対応するターゲットネットワークＩＤを取得し、前記ターゲットネットワークのアクセスノードを決定し、前記ターゲットネットワークへベアラ設定要求を送信するように構成されることを特徴とするＭＭＥ装置。
【請求項２３】
ソースネットワークと、ＭＭＥと、ＳＧＷと、発展型ＵＭＴＳ地上波無線アクセスネットワーク（Ｅ−ＵＴＲＡＮ）と、を含む最適化ｉｎｔｅｒ−ＲＡＴ切換を実装するためのシステムであって、
前記ソースネットワークは、ＵＥからセルＩＤを受信し、前記セルＩＤに従いセルＩＤとターゲットネットワークＩＤとの間の設定されたマッピングから対応するターゲットネットワークＩＤを取得し、前記ターゲットＩＤを前記ＭＭＥへ送信するように構成され、
前記ＭＭＥは、前記ターゲットネットワークＩＤを受信するか、あるいは受信したセルＩＤに従って、セルＩＤとターゲットネットワークＩＤとの間の前記設定されたマッピングから前記対応ターゲットネットワークＩＤを取得し、対応するＥ−ＵＴＲＡＮを判定し、前記ＳＧＷとのベアラを設定するように構成され、
前記ＳＧＷはＭＭＥとのベアラを設定するように構成され、
前記Ｅ−ＵＴＲＡＮはＭＭＥとのベアラを設定するように構成されることを特徴とするシステム。
【請求項２４】
ソースネットワークと、ＭＭＥと、ＳＧＷと、Ｅ−ＵＴＲＡＮと、を含む最適化ｉｎｔｅｒ−ＲＡＴ切換を実装するためのシステムであって、
前記ソースネットワークが、ＵＥからの接続要求を受信し、前記要求を前記ＭＭＥへ送信するように構成され、
前記ＭＭＥが、前記ソースネットワークからの前記接続要求を受信し、前記ＳＧＷとの接続を設定し、前記ＳＧＷとの接続を完了した後にネットワーク切換の接続設定プロセスが進行中であることを判定し、Ｅ−ＵＴＲＡＮへのリソース予約プロセスを開始するように構成され、
前記ＳＧＷは前記ＭＭＥとのベアラを設定するように構成され、
前記Ｅ−ＵＴＲＡＮが前記ＭＭＥからリソース予約要求を受信し、リソースを予約し、ベアラを設定するように構成されることを特徴とするシステム。
【請求項２５】
ソースネットワークと、ＭＭＥと、ＳＧＷと、ＰＤＮ  ＧＷと、Ｅ−ＵＴＲＡＮと、を含む最適化ｉｎｔｅｒ−ＲＡＴ切換を実装するためのシステムであって、
前記ソースネットワークは、ＵＥからの接続要求を受信し、前記要求を前記ＭＭＥへ送信するように構成され、
前記ＭＭＥは、前記ソースネットワークからの前記接続要求を受信し、前記ＳＧＷへのベアラを設定し、前記ＳＧＷからベアラ設定要求を受信し、前記Ｅ−ＵＴＲＡＮに対してリソース予約要求を送信し、前記Ｅ−ＵＴＲＡＮにエアインタフェース接続を確立しないように指示するとともに、前記Ｅ−ＵＴＲＡＮから応答メッセージを受信して前記ＳＧＷへ応答メッセージを送信し、かつ前記ＳＧＷからベアラ設定完了通知を受信して前記ベアラ設定を完了するように構成され、
前記ＳＧＷは、前記ＭＭＥとの接続を確立し、前記受信した応答に従って前記ＰＤＮ  ＧＷへプロキシバインディング更新メッセージを送信するとともに、前記ＰＤＮ  ＧＷからの、あるいは自分自身が生成したベアラ設定完了通知を受信し、前記通知を前記ＭＭＥへ送信するように構成され、
前記ＰＤＮ  ＧＷは、前記ＳＧＷから前記プロキシバインディング更新メッセージを受信して前記ＳＧＷへのユーザプレーンパスを確立するとともに、ベアラ設定完了通知を前記ＳＧＷへ送信するように構成され、
前記Ｅ−ＵＴＲＡＮは、前記リソース予約要求を受信し、リソースを予約し、ベアラを設定するように構成されるシステム。
【請求項２６】
ソースネットワークと、ＭＭＥと、ＳＧＷと、ＰＤＮ  ＧＷと、を含む最適化ｉｎｔｅｒ−ＲＡＴ切換を実装するためのシステムであって、
前記ソースネットワークは、ＵＥからの接続要求を受信し、前記要求を前記ＭＭＥへ送信するように構成され、
前記ＭＭＥは、前記ソースネットワークからの前記接続要求を受信し、前記ＳＧＷへのベアラを設定し、前記ＳＧＷと前記ＰＤＮ  ＧＷの間に接続が確立されるか更新されるとき、ユーザプレーンの上りリンクのデータパスおよび下りリンクのデータパスを前記ソースネットワークから前記ターゲットネットワークへ切り替えないように前記ＰＤＮ  ＧＷへ指示し、前記ＵＥが前記ターゲットネットワークへ接続された後に、前記ユーザプレーンの上りリンクのデータパスおよび下りリンクのデータパスを前記ソースネットワークから前記ターゲットネットワークへの切り替えるように前記ＰＤＮ  ＧＷへ指示するように構成され、
前記ＳＧＷは、前記ＭＭＥとの接続を確立し、前記ＰＤＮ  ＧＷとの接続を確立もしくは更新して、前記受信したもしくは自身で生成したユーザプレーンの上りリンクおよび下りリンクのデータパス処理指示を前記ＰＤＮ  ＧＷへ送信し、かつ、前記ＵＥが前記ターゲットネットワークへ接続された後に、前記ユーザプレーンの上りリンクのデータパスおよび下りリンクのデータパスを前記ソースネットワークから前記ターゲットネットワークへ切り替えるように前記ＰＤＮ  ＧＷへ指示するように構成され、
前記ＰＤＮ  ＧＷは、前記ＳＧＷとの前記接続を確立あるいは更新をし、前記ユーザプレーンの上りリンクおよび下りリンクのデータパスの処理指示を受信し、前記ユーザプレーンの上りリンクのデータパスおよび下りリンクのデータパスを前記ソースネットワーク中に維持し、かつ前記ＵＥが前記ターゲットネットワークへ接続された後に、前記ユーザプレーンの上りリンクのデータパスおよび下りリンクのデータパスを前記ソースネットワークから前記ターゲットネットワークへ切り替えるように構成されるシステム。
【請求項２７】
ソースネットワークと、ＭＭＥと、ＳＧＷと、ＰＤＮ  ＧＷと、を含む最適化ｉｎｔｅｒ−ＲＡＴ切換を実装するためのシステムであって、
前記ソースネットワークは、ＵＥからの接続要求を受信し、前記要求を前記ＭＭＥへ送信することに適合し、
前記ＭＭＥは、前記ソースネットワークからの前記接続要求を受信し、前記ＳＧＷへのベアラを設定し、前記ＳＧＷと前記ＰＤＮ  ＧＷの間に接続が確立されるか更新されると、ユーザプレーンの下りリンクデータパスを前記ソースネットワークから前記ターゲットネットワークへ切り替え、かつ前記ユーザプレーンの上りリンクデータパスを保持するように前記ＰＤＮ  ＧＷへ指示し、そして切換準備が完了しかつ前記ＵＥが前記ターゲットネットワークへ接続された後に、前記ユーザプレーンの上りリンクデータパスを前記ソースネットワークから前記ターゲットネットワークへの切り替えるように前記ＰＤＮ  ＧＷへ指示するように構成され、
前記ＳＧＷは、前記ＭＭＥとの接続を確立し、前記ＰＤＮ  ＧＷとの接続を確立もしくは更新し、前記受信したもしくは自分で生成したユーザプレーン下りリンクのデータパス処理指示を前記ＰＤＮ  ＧＷへ送信し、かつ、前記ＵＥが前記ターゲットネットワークへ接続された後に、前記ユーザプレーンの上りリンクデータパスを前記ソースネットワークから前記ターゲットネットワークへ切り替えるように前記ＰＤＮ  ＧＷへ指示するように構成され、
前記ＰＤＮ  ＧＷは、前記ＳＧＷとの接続を確立もしくは更新し、前記ユーザプレーン下りリンクのデータパス処理指示を受信し、前記ユーザプレーンの下りリンクデータパスを前記ソースネットワークから前記ターゲットネットワークへ切り替え、かつ前記ユーザプレーンの上りリンクデータパスを前記ソースネットワークに保持し、かつ、前記ＵＥが前記ターゲットネットワークへ接続された後に、前記ユーザプレーンの上りリンクデータパスを前記ソースネットワークから前記ターゲットネットワークへ切り替えるように構成されることを特徴とするシステム。
【請求項２８】
ソースアクセスゲートウェイ（ソースＡＧＷ）と、ターゲットアクセスゲートウェイ（ターゲットＡＧＷ）と、アンカゲートウェイ（アンカＧＷ）と、ＰＣＲＦと、を含む最適化ｉｎｔｅｒ−ＲＡＴ切換を実装するためのシステムであって
前記ソースＡＧＷは、ＵＥからの接続要求を受信し、前記要求を前記ターゲットＡＧＷへ送信するように構成され、
前記ターゲットＡＧＷは、前記ソースＡＧＷからの前記接続要求を受信し、ベアラ設定要求を前記アンカＧＷへ送信するように構成され、
前記アンカＧＷは、前記ベアラ設定要求を受信し、前記ＰＣＲＦと対話して前記ターゲットネットワークに対応するＰＣＣルールを取得し、切換準備が完了しかつ前記ＵＥが前記ターゲットネットワークに接続された後に、前記ソースネットワークに適用可能なＰＣＣルールを削除するように構成され、
前記ＰＣＲＦは、前記アンカＧＷと対話して前記ＰＣＣルールを配信するように構成される、システム。
【請求項２９】
最適化されたｉｎｔｅｒ−ＲＡＴ切換を実装するための方法であって、
ソースネットワークにおいて切換のための準備をすることを決定した場合に、ＵＥのよって、前記ソースネットワークを介してターゲットネットワークへの接続要求を送信することと、
前記ターゲットネットワークとのユーザプレーン接続が確立されていない場合、下りリンクデータを受信しても前記ＵＥに関する呼出プロセスを始動しないように、ＭＭＥによってＳＧＷへ指示することと、
を含む方法。
【請求項３０】
前記ＭＭＥによる前記ＳＧＷへの前記指示が指示パラメータあるいは特定のメッセージを介して取得され、前記指示パラメータは、前記ＭＭＥから前記ＳＧＷへ送信される接続設定メッセージに保持される拡張指示パラメータであり、前記特定のメッセージは前記ＭＭＥにより前記ＳＧＷへ送信される前記接続設定メッセージである請求項２９に記載の方法。
【請求項３１】
最適化されたｉｎｔｅｒ−ＲＡＴ切換を実装するための方法であって、
ＵＥにより送信され、ソースネットワークからターゲットネットワークへ転送される接続要求をＭＭＥによって受信することと、
前記ターゲットネットワークとのユーザプレーン接続が確立されていない場合、下りリンクデータを受信しても前記ＵＥに関する呼出プロセスを始動しないように、前記ＭＭＥによってＳＧＷへ指示することと、
を含む方法。
【請求項３２】
ＵＥによって送信され、ソースネットワークによってターゲットネットワークへ転送される接続要求を受信するように構成された受信ユニットと、
前記ターゲットネットワークとのユーザプレーン接続が確立されていない場合、下りリンクデータを受信しても前記ＵＥに関する呼出プロセスを始動しないようにＳＧＷへ指示するように構成された指示ユニットと、
を含むＭＭＥ装置。
【発明の詳細な説明】
【技術分野】
【０００１】
本願は、２００７年１１月９日に中国特許庁へ出願された、「最適化Ｉｎｔｅｒ−ＲＡＴ切換を実装するための方法、装置およびシステム」という標題の中国特許出願第２００７１０１６９５８４．５号の優先権を主張するものであり、参照によりその内容全体がここに組み込まれる。
【０００２】
本発明はＩｎｔｅｒ−ＲＡＴ切換技術に関し、特に最適化Ｉｎｔｅｒ−ＲＡＴ切換を実装する方法、装置およびシステムに関する。
【背景技術】
【０００３】
従来の通信ネットワーク、特に  Ｇｌｏｂａｌ  Ｓｙｓｔｅｍ  ｆｏｒ  Ｍｏｂｉｌｅ  Ｃｏｍｍｕｎｉｃａｔｉｏｎｓ  （ＧＳＭ）および  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ  （ＵＭＴＳ）などの無線通信システムは、豊かなサービスと強力なネットワーク制御が長所であり、このため広く採用されてきている。ネットワーク技術の継続的な発展および改良に伴い、より高いデータ速度が要求されている。しかし、周波数リソースの制約、および劣悪な送信環境のために、無線通信システムではさらなる高速アクセスを提供することができない。従って、広帯域無線アクセスが高速アクセスのためのキーソリューションとなっている。ワイヤレスＬＡＮ（ＷＬＡＮ）およびワイマックス（ＷｉＭＡＸ：Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）に代表される広帯域無線アクセス技術が、高速の高帯域無線アクセスサービスを提供できる。これらが非固定のモバイル応用も支える。従って、無線通信ネットワークのアクセス能力は非常に強い。移動体通信ネットワークと広帯域無線アクセス技術との統合は、通信ネットワークの発展的なトレンドとなっている。
【０００４】
広帯域の無線アクセスネットワークの移動性の観点からは、ユーザ端末（ＵＥ）が異なるアクセスネットワーク間で切り換えられる場合に、サービスの継続性が必要な要件となる。ＵＥがソースネットワークリンクからターゲットアクセスネットワークリンクへ切り換えられた場合に、ネットワークのプレフィックスはアクセスネットワークリンクによって変わるために、ターゲットアクセスネットワーク内でのＵＥのＩＰアドレスのネットワークのプレフィックスは、ソースネットワークにおけるＩＰアドレスのネットワークのプレフィックスとは異なる。その結果、移動する場面においては、共通のＩＰネットワークのプレフィックスに基づくルーティングでは、ターゲットアクセスネットワークにあるＵＥへパケットを転送できない。ＵＥが切換プロセスの間にＩＰアドレスを更新すれば、進行中のサービスの継続は不可能となる。
【０００５】
上記の問題を解決するために、ＵＥが移動時にホームアドレス（ＨＯＡ）を保持できるようする、移動ＩＰ（ＭＩＰ）が採用される。ＭＩＰ技術について以下に要約する。ＭＩＰの基本原理は、１つのＵＥに２つのＩＰアドレス、すなわちホームアドレス（ＨＯＡ）と気付けアドレス（ＣＯＡ）とが関連付けられ、ＵＥの移動時にＨＯＡを保持できるようにする。ＵＥはＨＯＡをホームネットワークから取得する。ＵＥがホームネットワークの外へ移動すると、ＵＥは外部アクセスリンクのモバイルプロキシから在圏ネットワークのＣＯＡを取得し、ホームリンクモバイルプロキシへＣＯＡを通知する。ホームリンクのモバイルプロキシはＵＥのＨＯＡとＣＯＡを結合して、ホームリンクモバイルプロキシとＣＯＡ（外部アクセスリンクモバイルプロキシ）との間にトンネルを設定する。その後、ホームリンクモバイルプロキシが、ＵＥのＨＯＡ宛てのパケットをトンネルを介してＵＥのＣＯＡに送信し、パケットのルーティングを完成させる。
【０００６】
既存の通信ネットワークでは、ＵＥが、パケットデータネットワーク（ＰＤＮ）の１つまたは複数のパケットデータサービスへアクセスできる。複数のパケットデータサービスは、アクセスポイント名（ＡＰＮ）で特定される。ＵＥがアクセスしようとするパケットデータサービスのＡＰＮは、アクセスネットワーク中に事前設定されているか、ＵＥによってアクセスネットワークへ提供されるかである。アクセスネットワークが、ＡＰＮに従って、ＵＥから適切なパケットデータネットワークゲートウェイ（ＰＤＮ  ＧＷ）への接続を確立する。そうしてＰＤＮ  ＧＷがＡＰＮに従って適切なＰＤＮへの接続を確立する。
【０００７】
ネットワークリソースを効率よく管理、運用するために、ＵＥがネットワークを離れたら、そのＵＥ用に割り当てられた、無線チャネル、ベアラ、種々のトンネルおよびストレージなどを含むリソースを、無線リソースの活用促進のために、適宜解放する必要がある。
【０００８】
ネットワーク発展の後、ＵＥは３つの発展型ネットワーク構造の内の１つのアクセスネットワークを介して所望のサービスを取得できる。ＵＥがネットワークに入った後、現在のソースネットワークを出てターゲットネットワークに入ろうとする場合、３つの発展型ネットワークの間でＵＥを切り換える必要がある。ソースネットワークのベアラはターゲットネットワークへ切り換えられなければならない。これには、ターゲットネットワークのベアラ設定プロセスと、ソースネットワークのベアラ解放プロセスとが含まれる。３つの発展型ネットワーク間の切換に関して、ＵＥが切り換えられる際に進行中のサービスの継続性が保証されるためには、以下の要求を満たす必要がある。
【０００９】
切り換えられたネットワークへの影響の最小化、
端末への影響の最小化、
切り換えられたネットワーク同士のカップリングの最小化、
サービスの連続性の保証。
【００１０】
上記の要求を満たし、アクセスの選択とサービスの多様性を提供するためには、ｉｎｔｅｒ−ＲＡＴ切換がリアルタイムで迅速かつ正確に完了できるように、発展型ネットワーク間でのさらに最適化された切換方法を検討する必要がある。
【００１１】
図１は従来技術における３つの発展型ネットワーク間での最適化切換構造を示す概略図である。図１ではホームＳＧＷとＰＤＮ  ＧＷとの間のインタフェースはＳ５（図示せず）であり、異なる発展型ネットワーク間のインタフェースはＳ７１である。ここで通信はトンネリングプロトコルに基づいている。Ｓ７１インタフェースを用いると、ＵＥとターゲットネットワークの間の通信はソースネットワークには透明であって、ソースネットワークへの切換の影響を減らし、ソースネットワークとターゲットネットワークとの間のカップリングを最小化する。
【発明の概要】
【発明が解決しようとする課題】
【００１２】
しかし、本発明を実装する場合、従来技術では少なくとも以下の欠点があることがわかった。すなわち、従来技術では、最適化切換に含まれる特定プロセスは分解されない。このことは、発展型ネットワーク間では最適切換用の完全なメカニズムあるいは手順がないことを意味する。その結果、切換の過程においてサービスの連続性が保証されない。
【課題を解決するための手段】
【００１３】
本発明の実施形態が、切換プロセスにおけるサービスの継続性を保証するための、最適化Ｉｎｔｅｒ−ＲＡＴ切換を実装するための方法、装置およびシステムを提供する。
【００１４】
ＵＥあるいはソースネットワークがターゲットネットワークへの切換を準備することを決定した場合における、最適化されたｉｎｔｅｒ−ＲＡＴ切換を実装するための方法が、  受信したセルＩＤに従って、セルＩＤとターゲットネットワークＩＤとの間の設定されたマッピング関係から対応するターゲットネットワークＩＤを取得することと、
ターゲットネットワークのアクセスノードを決定した後、ターゲットネットワークベアラを設定することと、
切換準備を完了した後にＵＥをターゲットネットワークに接続することと、を含む。
【００１５】
最適化されたｉｎｔｅｒ−ＲＡＴ切換を実装する別の方法が、
ソースネットワークにおいて切換の準備をすることを決定した場合に、ＵＥによって、ソースネットワークを介してターゲットネットワークへの接続確立プロセスを開始することと、
ターゲットネットワークのＭＭＥによって、接続要求を受信し、ＳＧＷへの接続を確立することと、
ＳＧＷへの接続が終了した後、ＭＭＥによって、切換の接続確立プロセスが進行中であることを判定し、ターゲットネットワークのアクセスノード（ＡＮ）へのリソース予約プロセスを開始することと、
切換準備が完了した後にＵＥをターゲットネットワークへ接続することと、を含む。
【００１６】
最適化されたｉｎｔｅｒ−ＲＡＴ切換を実装する更に別の方法が、
ソースネットワークにおいて切換の準備をすることを決定した場合に、ＵＥによって、ソースネットワークを介してターゲットネットワークへの接続確立プロセスを開始することと、
ベアラ設定制御エンティティによって、ターゲットネットワークへのベアラ設定プロセスを開始することと、
ＭＭＥによって、ＳＧＷからベアラ設定要求を受信し、リソース予約要求を送信し、ターゲットネットワークのＡＮにエアインタフェース接続を確立しないように指示することと、
ターゲットネットワークのＡＮによって、リソース予約要求を受信し、リソースを予約することと、
ＭＭＥによって、ターゲットネットワークのＡＮからの応答メッセージを受信し、ＳＧＷへ応答メッセージを送信することと、
ベアラ設定制御エンティティによって、ベアラ設定を完了した後に、ＭＭＥへベアラが確立されたことを指示する、ベアラ設定完了通知をＭＭＥへ送信することと、
切換準備を完了した後にＵＥをターゲットネットワークに接続することと、を含む。
【００１７】
最適化されたｉｎｔｅｒ−ＲＡＴ切換を実装する更に別の方法が、
ソースネットワークにおいて切換準備をすることを決定した場合に、ＵＥによって、ソースネットワークを介してターゲットネットワークへの接続確立プロセスを開始することと、
ＳＧＷおよびＰＤＮ  ＧＷの間の接続が設定される場合に、ＭＭＥもしくは前記ＳＧＷによって、ユーザプレーンの上りリンクのデータパスおよび下りリンクのデータパスをソースネットワークからターゲットネットワークへ切り替えないようにＰＤＮ  ＧＷへ指示することと、
切換準備が完了した後にＵＥをターゲットネットワークへ接続し、ＭＭＥもしくは前記ＳＧＷによって、ユーザプレーンの上りリンクのデータパスおよび下りリンクのデータパスをソースネットワークからターゲットネットワークへ切り替えるようにＰＤＮ  ＧＷへ指示することと、を含む。
【００１８】
最適化されたｉｎｔｅｒ−ＲＡＴ切換を実装するまた更に別の方法が、
ソースネットワークにおいて切換の準備をすることを決定した場合に、ＵＥによって、ソースネットワークを介してターゲットネットワークへの接続確立プロセスを開始することと、
ＳＧＷとＰＤＮ  ＧＷとの間の接続が設定される場合に、ＭＭＥあるいはＳＧＷによって、ＰＤＮ  ＧＷにユーザプレーン下りリンクのデータパスをソースネットワークからターゲットネットワークへ切り替え、ターゲットネットワークのベアラの設定が完了したことを判定した後に、ソースネットワーク内のユーザプレーン上りリンクのデータパスを維持するように指示することと、
切換準備が完了した後にＵＥをターゲットネットワークへ接続し、ＭＭＥもしくはＳＧＷによって、ユーザプレーン上りリンクのデータパスをソースネットワークからターゲットネットワークへ切り替えるようにＰＤＮ  ＧＷへ指示することと、を含む。
【００１９】
最適化されたｉｎｔｅｒ−ＲＡＴ切換を実装する更に別の方法が、
ソースネットワークにおいて切換の準備をすることを決定した場合に、ＵＥによって、ソースネットワークを介してターゲットネットワークへの接続確立プロセスを開始することと、
ベアラ接続要求を受信した後に，ＰＤＮ  ＧＷにより、ポリシーおよび課金ルール機能（ＰＣＲＦ）との対話を開始し、ターゲットネットワークへ対応する、ポリシーおよび課金制御（ＰＣＣ）ルールを取得することと、
ＰＤＮ  ＧＷによって、ソースネットワークとターゲットネットワークとに対応する２組のＰＣＣルールを同時に実行し、ターゲットネットワークへのベアラ設定プロセスを開始することと、
切換準備が完了した後にターゲットネットワークにＵＥを接続する際に、ＰＤＮ  ＧＷによりソースネットワークへ対応するＰＣＣルールを削除することと、を含む。
【００２０】
ＭＭＥ装置が受信ユニットと処理ユニットとからなり、
受信ユニットは、セルＩＤを受信し、前記セルＩＤを前記処理ユニットへ送信するように構成され、
処理ユニットは、セルＩＤを受信し、セルＩＤとターゲットネットワークＩＤとの間の設定されたマッピングから対応するターゲットネットワークＩＤを取得し、ターゲットネットワークのアクセスノードを決定し、ターゲットネットワークへベアラ設定要求を送信するように構成されている。
【００２１】
最適化ｉｎｔｅｒ−ＲＡＴ切換を実装するためのシステムが、ソースネットワークと、ＭＩＭＥと、ＳＧＷと、発展型ＵＭＴＳ地上波無線アクセスネットワーク（Ｅ−ＵＴＲＡＮ）と、を含み、
ソースネットワークは、ＵＥからセルＩＤを受信し、セルＩＤに従って、セルＩＤとターゲットネットワークＩＤとの間の設定されたマッピングから対応するターゲットネットワークＩＤを取得し、ターゲットネットワークＩＤをＭＭＥへ送信するように構成され、
ＭＭＥは、ターゲットネットワークＩＤを受信するかあるいは、受信したセルＩＤに従って、セルＩＤとターゲットネットワークＩＤとの間の設定されたマッピングから対応するターゲットネットワークＩＤを取得し、対応するＥ−ＵＴＲＡＮを決定し、ＳＧＷとのベアラを設定するように構成され、
ＳＧＷはＭＭＥとのベアラを設定するように構成され、
Ｅ−ＵＴＲＡＮは、ＭＭＥとのベアラを設定するように構成されている。
【００２２】
最適化ｉｎｔｅｒ−ＲＡＴ切換実装用の別のシステムが、ソースネットワークと、ＭＭＥと、ＳＧＷと、Ｅ−ＵＴＲＡＮと、を含み、
ソースネットワークは、ＵＥからの接続要求を受信し、前記要求を前記ＭＭＥへ送信するように構成され、
ＭＭＥが、ソースネットワークからの接続要求を受信し、ＳＧＷとの接続を設定し、ＳＧＷとの接続を完了した後にネットワーク切換の接続設定プロセスが進行中であることを判定し、Ｅ−ＵＴＲＡＮへのリソース予約プロセスを開始するように構成され、
ＳＧＷは前記ＭＭＥとのベアラを設定するように構成され、
Ｅ−ＵＴＲＡＮがＭＭＥからリソース予約要求を受信し、リソースを予約し、ベアラを設定するように構成されている。
【００２３】
最適化ｉｎｔｅｒ−ＲＡＴ切換を実装するための更に別のシステムが、ソースネットワークと、ＭＭＥと、ＳＧＷと、ＰＤＮ  ＧＷと、Ｅ−ＵＴＲＡＮと、を含み、
ソースネットワークが、ＵＥからの接続要求を受信し、要求をＭＭＥへ送信するように構成され、
ＭＭＥが、ソースネットワークからの接続要求を受信し、ＳＧＷへのベアラを設定し、ＳＧＷからベアラ設定要求を受信し、Ｅ−ＵＴＲＡＮに対してリソース予約要求を送信して、Ｅ−ＵＴＲＡＮにエアインタフェース接続を確立しないように指示し、Ｅ−ＵＴＲＡＮから応答メッセージを受信して、ＳＧＷへ応答メッセージを送信し、ＳＧＷからベアラ設定完了通知を受信し、ベアラ設定を完了するように構成され、
ＳＧＷが、ＭＭＥとの接続を確立して、受信した応答に従ってＰＤＮ  ＧＷへプロキシバインディング更新メッセージを送信するとともに、ＰＤＮ  ＧＷからの、あるいは自分自身が生成したベアラ設定完了通知を受信して、通知をＭＭＥへ送信するように構成され、
ＰＤＮ  ＧＷが、ＳＧＷからプロキシバインディング更新メッセージを受信し、ＳＧＷへのユーザプレーン経路を確立し、ベアラ設定完了通知をＳＧＷへ送信するように構成され、
Ｅ−ＵＴＲＡＮが、リソース予約メッセージを受信し、リソースを予約し、ベアラを設定するように構成されている。
【００２４】
最適化ｉｎｔｅｒ−ＲＡＴ切換を実装するための更に別のシステムが、ソースネットワークと、ＭＭＥと、ＳＧＷと、Ｅ−ＵＴＲＡＮとを含み、
ソースネットワークが、ＵＥからの接続要求を受信し、要求を前記ＭＭＥへ送信するように構成され、
ＭＭＥが、ソースネットワークからの接続要求を受信し、ＳＧＷへベアラを設定し、ＳＧＷとＰＤＮ  ＧＷの間に接続が確立されるか更新されるときに、ユーザプレーンの上りリンクのデータパスおよび下りリンクのデータパスをソースネットワークからターゲットネットワークへ切り替えないようにＰＤＮ  ＧＷへ指示し、ＵＥがターゲットネットワークへ接続された後に、ユーザプレーンの上りリンクのデータパスおよび下りリンクのデータパスをソースネットワークからターゲットネットワークへ切り替えるようにＰＤＮ  ＧＷへ指示するように構成され、
ＳＧＷが、ＭＭＥとの接続を確立し、ＰＤＮ  ＧＷとの接続を確立もしくは更新して、受信したもしくは自分で生成した、ユーザプレーンの上りリンクおよび下りリンクのデータパス処理指示をＰＤＮ  ＧＷへ送信し、ＵＥがターゲットネットワークへ接続された後に、ユーザプレーンの上りリンクのデータパスおよび下りリンクのデータパスをソースネットワークからターゲットネットワークへ切り替えるようにＰＤＮ  ＧＷへ指示するように構成され、
ＰＤＮ  ＧＷが、ＳＧＷとの接続を確立あるいは更新をし、ユーザプレーンの上りリンクおよび下りリンクのデータパスの処理指示を受信して、ユーザプレーンの上りリンクのデータパスおよび下りリンクのデータパスをソースネットワーク中に維持し、ＵＥがターゲットネットワークへ接続された後に、ユーザプレーンの上りリンクのデータパスおよび下りリンクのデータパスをソースネットワークからターゲットネットワークへ切り替えるように構成されている。
【００２５】
最適化ｉｎｔｅｒ−ＲＡＴ切換を実装するための更に別のシステムが、ソースネットワークと、ＭＭＥと、ＳＧＷと、ＰＤＮ  ＧＷとを含み、
ソースネットワークが、ＵＥからの接続要求を受信し、要求をＭＭＥへ送信するように構成され、
ＭＭＥが、ソースネットワークからの接続要求を受信し、ＳＧＷへのベアラを設定し、ＳＧＷとＰＤＮ  ＧＷの間に接続が確立されるか更新されるときに、ユーザプレーン下りリンクのデータパスをソースネットワークからターゲットネットワークへ切り替え、かつユーザプレーン上りリンクのデータパスをソースネットワーク内に維持するようにＰＤＮ  ＧＷへ指示し、切換準備が完了しかつＵＥがターゲットネットワークへ接続された後に、ユーザプレーン上りリンクのデータパスをソースネットワークからターゲットネットワークへの切り替えるようにＰＤＮ  ＧＷへ指示するように構成され、
ＳＧＷが、ＭＭＥとの接続を確立し、ＰＤＮ  ＧＷとの接続を確立もしくは更新して、受信したもしくは自分で生成した、ユーザプレーン下りリンクのデータパス処理指示をＰＤＮ  ＧＷへ送信し、ＵＥがターゲットネットワークへ接続された後に、ユーザプレーン上りリンクのデータパスをソースネットワークからターゲットネットワークへ切り替えるようにＰＤＮ  ＧＷへ指示するように構成され、
ＰＤＮ  ＧＷが、ＳＧＷとの接続を確立もしくは更新し、ユーザプレーン下りリンクのデータパス処理指示を受信し、ユーザプレーンの下りリンクデータパスをソースネットワークからターゲットネットワークへ切り替え、ユーザプレーン上りリンクのデータパスをソースネットワーク内に維持し、ＵＥがターゲットネットワークへ接続された後に、ユーザプレーン上りリンクのデータパスをソースネットワークからターゲットネットワークへ切り替えるように構成されている。
【００２６】
最適化ｉｎｔｅｒ−ＲＡＴ切換を実装するための更に別のシステムが、ソースアクセスゲートウェイ（ソースＡＧＷ）と、ターゲットアクセスゲートウェイ（ターゲットＡＧＷ）と、アンカゲートウェイ（アンカＧＷ）と、ＰＣＲＦと、を含み、
ソースＡＧＷは、ＵＥからの接続要求を受信し、要求を前記ターゲットＡＧＷへ送信するように構成され、
ターゲットＡＧＷが、ソースＡＧＷからの接続要求を受信し、ベアラ設定要求をアンカＧＷへ送信するように構成され、
アンカＧＷが、ベアラ設定要求を受信し、ＰＣＲＦと対話してターゲットネットワークに対応するＰＣＣルールを取得し、切換準備が完了しかつＵＥがターゲットネットワークに接続された後に、ソースネットワークに適用可能なＰＣＣルールを削除するように構成され、
ＰＣＲＦは、前記アンカＧＷと対話してＰＣＣルールを配信するように構成されている。
【００２７】
最適化されたｉｎｔｅｒ−ＲＡＴ切換を実装する別の方法が、
ソースネットワークにおいて切換の準備をすることを決定した場合に、ＵＥによって、ソースネットワークを介してターゲットネットワークへ接続要求を送信することと、
ターゲットネットワークとのユーザプレーン接続が確立されていない場合、下りリンクデータの受信によるＵＥに関する呼出プロセスを始動しないように、ＭＭＥによってＳＧＷへ指示することと、を含む。
【００２８】
最適化されたｉｎｔｅｒ−ＲＡＴ切換を実装する更に別の方法が、
ＵＥにより送信され、ソースネットワークからターゲットネットワークへ転送された接続要求をＭＭＥによって受信することと、
ターゲットネットワークとのユーザプレーン接続が確立されていない場合、下りリンクデータの受信によるＵＥに関する呼出プロセスを始動しないように、ＭＭＥによってＳＧＷへ指示することと、を含む。
【００２９】
別のＭＭＥ装置が、
ＵＥにより送信され、ソースネットワークによってターゲットネットワークへ転送される接続要求を受信するように構成された受信ユニットと、
ターゲットネットワークとのユーザプレーン接続が確立されていない場合、下りリンクデータを受信によるＵＥに関する呼出プロセスを始動しないようにＳＧＷへ指示するように構成された指示ユニットと、を含む。
【００３０】
従来技術に比較して、本発明の実施形態では以下のような利点がある。本発明の実施形態により開示される、最適化Ｉｎｔｅｒ−ＲＡＴ切換を実装するための方法、装置およびシステムを用いると、ＵＥあるいはソースネットワークがターゲットネットワークへの切換の準備を決定すると、受信したセルＩＤに従って、セルＩＤとターゲットネットワークＩＤとの間の設定されたマッピングから対応ターゲットネットワークＩＤをＭＭＥが取得し、ターゲットネットワークのアクセスノードを決定する。その一方で、ＭＭＥがターゲットネットワークのＳＧＷへの接続を設定し、ＭＭＥもしくはＳＧＷがＰＤＮ  ＧＷに対して、ユーザプレーン上りリンクのデータパスおよび下りリンクのデータパスをソースネットワークからターゲットネットワークへ切り替えないように指示するか、あるいは、ユーザプレーン下りリンクのみをソースネットワークからターゲットネットワークへ切り替えるように指示する。ＳＧＷとの接続が完了すると、ＭＭＥはリソース予約要求をターゲットネットワークのアクセスノードに送信し、ターゲットネットワークにエアインタフェース接続を確立しないように指示する。切換準備が完了し、ＵＥがターゲットネットワークに接続されると、ＭＭＥもしくはＳＧＷがＰＤＮ  ＧＷに対して、ユーザプレーンの上りリンクのデータパスと下りリンクのデータパス、もしくはユーザプレーン上りリンクのデータパスをソースネットワークからターゲットネットワークへ切り替えるように指示する。このようにして、発展型ネットワークにおけるアクセス方式の異なるネットワーク間でＵＥが切り換えられる場合に、切換性能が改善され、サービスの継続性が確保される。切換が、ユーザにとって快適なシームレスなものとなる。
【図面の簡単な説明】
【００３１】
【図１】従来技術による、３つの発展型ネットワーク間の最適化切換の構造を示す概略図である。
【図２】ＳＧＰＰ  ＴＳ２３．４０２に記述されているＨＲＰＤネットワークからＬＴＥネットワークへの最適化切換のフローチャートである。
【図３ａ】本発明の実施形態における最適化ｉｎｔｅｒ−ＲＡＴ切換を実装するための第１のシステム構造を示す概略図である。
【図３ｂ】本発明の実施形態における最適化ｉｎｔｅｒ−ＲＡＴ切換を実装するための第２のシステム構造を示す概略図である。
【図３ｃ】本発明の実施形態における最適化ｉｎｔｅｒ−ＲＡＴ切換を実装するための第３のシステム構造を示す概略図である。
【図３ｄ】本発明の実施形態における最適化ｉｎｔｅｒ−ＲＡＴ切換を実装するための第４のシステム構造を示す概略図である。
【図３ｅ】本発明の実施形態におけるＭＭＥの構造を示す概略図である。
【図４】本発明の第１の実施形態における最適化ｉｎｔｅｒ−ＲＡＴ切換を実装するための方法のフローチャートである。
【図５】本発明の第１の実施形態における最適化ｉｎｔｅｒ−ＲＡＴ切換を実装するための方法の別のフローチャートである。
【図６】本発明の第２の実施形態における最適化ｉｎｔｅｒ−ＲＡＴ切換を実装するための方法のフローチャートである。
【図７】本発明の第３の実施形態の、プロキシモバイルＩＰ（ＰＭＩＰ）に基づくＳＧＷとＰＤＮ  ＧＷの対話の間に、すべてのベアラ情報は１つのメッセージで伝送される方法のフローチャートである。
【図８】本発明の第３の実施形態の、ＰＭＩＰに基づくＳＧＷとＰＤＮ  ＧＷの対話の間に、ベアラが順次設定される方法のフローチャートである。
【図９】本発明の第３の実施形態の、ＧＰＲＳトンネリングプロトコル（ＧＴＰ）に基づくＳＧＷとＰＤＮ  ＧＷの対話の間に、ベアラが一度に設定される方法のフローチャートである。
【図１０】本発明の第３の実施形態の、ＧＴＰに基づくＳＧＷとＰＤＮ  ＧＷの対話の間に、ベアラが順次設定される方法のフローチャートである。
【図１１】ターゲットアクセスゲートウェイがアンカゲートウェイに対して、ユーザ上りリンクのデータパスと下りリンクのデータパスを２つのユーザプレーン上で個別に処理するように指示する、本発明の第４の実施形態のフローチャートである。
【図１２】本発明の実施形態における指示情報の設定を示す概略図である。
【図１３】ターゲットアクセスゲートウェイがアンカゲートウェイに対して、ユーザ上りリンクのデータパスと下りリンクのデータパスをターゲットネットワークへ切り替えないように指示する、本発明の第４の実施形態のフローチャートである。
【図１４】本発明の実施形態における指示情報の設定を示す別の概略図である。
【図１５】切換プロセスの間に、アンカＧＷ上のＰＣＥＦがソース／ターゲットネットワークのＰＣＣルールを制御する、本発明の第５の実施形態のフローチャートである。
【図１６】切換プロセスの間に、アンカＧＷ上のＰＣＥＦがソース／ターゲットネットワークのＰＣＣルールを制御する、本発明の第５の実施形態の別のフローチャートである。
【発明を実施するための形態】
【００３２】
本発明の技術的解法を以下に添付の図面を参照して記述する。この実施形態は、本発明の例示的な実施の形態に過ぎず、本発明がこの実施形態に制限されるものでないことは明らかである。本発明の実施形態に基づいて当業者が創作的な作業なしに取得する他の実施形態もまた、本発明の保護の範囲に入る。
【００３３】
図２は、高速パケットデータ（ＨＰＲＤ）ネットワークからロングタームエボリューション（Ｌｏｎｇ  Ｔｅｒｍ  Ｅｖｏｌｕｔｉｏｎ：ＬＴＥ）ネットワークへの最適化された切換のフローチャートである。図２に示すように、切換プロセスには以下のステップが含まれる。
【００３４】
ステップ２０１：ＵＥがＨＲＰＤネットワークとのセッション立ち上げのためにＨＲＰＤアクセスノード（ＨＲＰＤ  ＡＮ）にアクセスする。
【００３５】
ステップ２０２：ＵＥもしくはＨＲＰＤ  ＡＮが切換（ＨＯ）を決定する。
【００３６】
ステップ２０３：ＵＥが発展型パケットシステム（Ｅｖｏｌｖｅｄ  Ｐａｃｋｅｔ  Ｓｙｓｔｅｍ）付着／サービス要求をＨＲＰＤ  ＡＮを介してＭＭＥへ送信し、ターゲットネットワークへ付着されることを要求する。
【００３７】
ステップ２０４：ＭＭＥがＵＥに対応する移動管理コンテキスト（Ｍｏｂｉｌｉｔｙ  Ｍａｎａｇｅｍｅｎｔ  Ｃｏｎｔｅｃｔ：ＭＭ  Ｃｏｎｔｅｘｔ）を取得しない場合には、ＭＭＥがホーム加入者システム（Ｈｏｍｅ  Ｓｕｂｓｃｒｉｂｅｒ  Ｓｙｓｔｅｍ：ＨＳＳ）にＵＥの認証および対応するＭＭ  Ｃｏｎｔｅｘｔの確立を要求する。
【００３８】
このステップは選択可能である。
【００３９】
ステップ２０５：ＭＭＥが発展型パケットシステム（Ｅｖｏｌｖｅｄ  Ｐａｃｋｅｔ  Ｓｙｓｔｅｍ：ＥＰＳ）のＥ−ＵＴＲＡＮに初めて付着される場合には、ＭＭＥが位置更新を要求し、ＨＳＳから加入者データを取得する。
【００４０】
このステップは選択可能である。
【００４１】
ステップ２０６：ＥＰＳ  Ａｔｔａｃｈ／Ｓｅｒｖｉｃｅ  Ｒｅｑｕｅｓｔプロセスの残りのステップが実行される。
【００４２】
このステップの後に、下りリンクのデータ（ＤＬデータ）がＰＤＮ  ＧＷからＥ−ＵＴＲＡＮへ、確立されたベアラを介して送信され、Ｅ−ＵＴＲＡＮの中に一時格納される。
【００４３】
ステップ２０７：ＥＰＳ  Ａｔｔａｃｈ／Ｓｅｒｖｉｃｅ  Ｒｅｑｕｅｓｔプロセスが完了すると、ＭＭＥがＵＥにＥ−ＵＴＲＡＮへの切換命令を送信し、ＵＥにエアインタフェースをＥ−ＵＴＲＡＮへ切り替えるように通知する。
【００４４】
ステップ２０８：ＵＥがメッセージを受信し、エアインタフェースの環境設定を完了し、切換完了（ＨＯ  Ｃｏｍｐｌｅｔｅ）メッセージをＥ−ＵＴＲＡＮに返す。
【００４５】
ステップ２０９：Ｅ−ＵＴＲＡＮがＨＯ  Ｃｏｍｐｌｅｔｅメッセージを受信し、移動完了メッセージをＭＭＥに送信する。
【００４６】
ステップ２１０：ＭＭＥがＨＯ  ＣｏｍｐｌｅｔｅメッセージをＨＲＰＤ  ＡＮへ送信し、ＵＥがＥ−ＵＴＲＡＮへの接続に成功したことをＨＲＰＤ  ＡＮに通知する。
【００４７】
ステップ２１１：ＨＲＰＤ  ＡＮがＨＲＰＤで規定された標準プロセスを用いてリソースのリリースを行う。
【００４８】
上記の切換プロセスにおいては、以下のような欠点および弱点がある。
【００４９】
１．切換準備時にＥ−ＵＴＲＡＮにデータを一時格納しなければならないが、このプロセスにはＭＭＥがどのようにしてＥ−ＵＴＲＡＮを決定するかが特定されていない。
【００５０】
２．ＭＭＥとＥ−ＵＴＲＡＮとの間の接続設定の詳細な記述がない。
【００５１】
３．Ｓ１０１およびＳ５の接続をどのようにしていつ確立するかが特定されていない。
【００５２】
４．  切換プロセスにおいてはサービスの継続性を保証するために、ベアラ層の切換はサービス層に対して透明であり、従って上りリンクのデータ伝送が中断されてはならない。それは、これがサービス層への切換の透明性を確保する唯一の方法であるからである。しかし、上記のプロセスにおいては、切換準備のための早期のパスの切替え（これはＵＥがターゲットネットワークへ切換される前に、ＰＤＮ  ＧＷが切り替えられてターゲットネットワークへ結合されることを指している）の時において、上りリンクおよび下りリンクの両方のデータがターゲットネットワークへ切り替えられて上りリンクのデータ伝送が中断され、その結果としてサービス層におけるサービスが中断され、上りリンクにおいてはロスのないデータ伝送を保証することができない。
【００５３】
５．早期のパス切り替えに伴い、切換プロセスにはデフォルトベアラあるいは専用ベアラの設定の仕方が記述されていない。
【００５４】
６．ポリシーおよび課金制御（ＰＣＣ）を適用する場合に、このプロセスでは、ソースネットワークおよびターゲットネットワークの制御（課金制御などの）を実装するために、切換プロセス中にネットワークアンカにＰＣＣルールをどのように適用するかが考えられていない。
【００５５】
上記に鑑みて本発明の実施形態においては、ＵＥがソースネットワークからターゲットネットワークへ切り換えられる場合、ＭＭＥがその環境設定あるいは受信メッセージ中の情報に従ってターゲットネットワークを選択してそのターゲットネットワークとの接続を確立し、ＳＧＷがＰＤＮ  ＧＷとの接続を設定して、上りリンクのデータを切り替えないように、及び受信した下りリンクのデータを一時格納するように、ＰＤＮ  ＧＷに指示する。そして、切換プロセスの間、ＵＥがまだソースネットワークにある場合には、ソースネットワークを経由する上りリンクのトランスポートパスは分解されずに、ＰＣＣ制御が切換プロセスにおいて実装される。
【００５６】
ここで本発明の実施形態においては、ＵＥがＥ−ＵＴＲＡＮに切り換えられる場合について切換を説明し、信頼できる非３ＧＰＰネットワーク（ＣＤＭＡ２０００やＷｉＭＡＸ）および信頼できない非３ＧＰＰネットワーク（ＷＬＡＮやＩＷＬＡＮ）などのような、ソースネットワークのアクセスゲートウェイはその他のアクセスノード（Ｏｔｈｅｒ  ＡＮ）と称する。
【００５７】
上記の目的のために、本発明の実施形態は最適化されたｉｎｔｅｒ−ＲＡＴ切換を実装するためのシステムを提供する。
【００５８】
図３ａは、本発明の実施形態における最適化ｉｎｔｅｒ−ＲＡＴ切換を実装するための第１のシステム構造を示す概略図である。図３ａに示すように、システムがソースネットワーク３０１、ＭＭＥ３０２、ＳＧＷ３０３およびＥ−ＵＴＲＡＮ３０４を含み、
ソースネットワーク３０１は、ＵＥからセルＩＤを受信して受信したセルＩＤをＭＭＥ３０２へ直接送信するか、あるいは、受信したセルＩＤに従って、セルＩＤとターゲットネットワークＩＤとの間の設定されたマッピングから、対応するターゲットネットワークＩＤを取得し、ターゲットネットワークＩＤをＭＭＥ３０２へ送信するように構成され、
ＭＭＥ３０２は、ターゲットネットワークＩＤを受信するかあるいは、受信したセルＩＤに従って、セルＩＤとターゲットネットワークＩＤとの間の設定されたマッピングから、対応するターゲットネットワークＩＤを取得し、対応するＥ−ＵＴＲＡＮ３０４を決定し、ＳＧＷ３０３とのベアラを設定するように構成され、
ＳＧＷ３０３は、ＭＭＥ３０２とベアラを設定するように構成されており、
Ｅ−ＵＴＲＡＮ３０４はＭＭＥ３０２とのベアラを設定するように構成されている。
【００５９】
実際に、図３ａに示した最適化ｉｎｔｅｒ−ＲＡＴ切換を実装するためのシステムが、
ＵＥからの接続要求を受信し、その要求をＭＭＥ３０２へ転送するようになっているソースネットワーク３０１と、
ソースネットワーク３０１からの接続要求を受信し、ＳＧＷ３０３との接続を設定し、ＳＧＷ３０３との接続を完了した後にネットワーク切換の接続設定プロセスが進行中であることを決定し、Ｅ−ＵＴＲＡＮ３０４へリソース予約要求を送信するようになっている、ＭＭＥ３０２と、
ＭＭＥ３０２との接続を確立するようになっているＳＧＷ３０３と、
ＭＭＥ３０２からリソース予約要求を受信し、リソースを予約し、ベアラを設定するようになっているＥ−ＵＴＲＡＮ３０４と、を含む。
【００６０】
実際に、図３ａに示した最適化ｉｎｔｅｒ−ＲＡＴ切換を実装するためのシステムが、
ＵＥからの接続要求を受信し、その要求をＭＭＥ３０２へ転送するようになっているソースネットワーク３０１と、
ソースネットワーク３０１からの接続要求を受信し、ＳＧＷ３０３とのベアラを設定し、ＳＧＷ３０３へ指示し、Ｅ−ＵＴＲＡＮ３０４へのベアラを設定するようになっているＭＭＥ３０２と、
ＭＭＥ３０２との接続を確立し、受信した指示に従って、Ｅ−ＵＴＲＡＮ３０４へのユーザプレーンベアラが確立されていなければ、ＵＥを呼び出すことなしに、受信した下りリンクのデータを一時格納するようになっているＳＧＷ３０３と、
ＭＭＥ３０２とのベアラを設定するようになっているＥ−ＵＴＲＡＮ３０４と、を含む。
【００６１】
図３ｂは、本発明の実施形態における最適化ｉｎｔｅｒ−ＲＡＴ切換を実装するためのシステムの第２の構造を示す概略図である。図３ｂに示すように、このシステムがソースネットワーク３１１、ＭＭＥ３１２、ＳＧＷ３１３、ＰＤＮ  ＧＷ３１４およびＥ−ＵＴＲＡＮ３１５を含み、ここで、
ソースネットワーク３１１は、ＵＥからの接続要求を受信し、その要求をＭＭＥ３１２へ転送するようになっており、
ＭＭＥ３１２は、ソースネットワーク３１１からの接続要求を受信し、ＳＧＷ３１３へのベアラを設定し、ＳＧＷ３１３からベアラ設定要求を受信し、Ｅ−ＵＴＲＡＮ３１５に対してリソース予約要求を送信し、Ｅ−ＵＴＲＡＮ３１５にエアインタフェース接続を確立しないように指示し、Ｅ−ＵＴＲＡＮ３１５から応答メッセージを受信し、応答メッセージをＳＧＷ３１３へ送信し、ＳＧＷ３１３からベアラ設定完了通知を受信し、ベアラ設定を完了するようになっており、
ＳＧＷ３１３は、ＭＭＥ３１２との接続を確立し、受信した応答に従ってＰＤＮ  ＧＷ３１４へプロキシバインディング更新メッセージを送信し、ＰＤＮ  ＧＷ３１４からのあるいは自分自身が生成したベアラ設定完了通知を受信し、その通知をＭＭＥ３１２へ送信するようになっており、
ＰＤＮ  ＧＷ３１４は、ＳＧＷ３１３からプロキシバインディング更新メッセージを受信し、ＳＧＷ３１３とのユーザプレーンパスを確立し、ベアラ設定完了通知をＳＧＷ３１３へ送信するようになっている。
【００６２】
Ｅ−ＵＴＲＡＮ３１５は、リソース予約メッセージを受信し、リソースを予約し、ベアラを設定するようになっている。
【００６３】
図３ｃは、本発明の実施形態における最適化ｉｎｔｅｒ−ＲＡＴ切換を実装するためのシステムの第３の構造を示す概略図である。図３ｃに示すように、このシステムがソースネットワーク３２１、ＭＭＥ３２２、ＳＧＷ３２３およびＰＤＮ  ＧＷ３２４を含み、ここで、
ソースネットワーク３２１は、ＵＥからの接続要求を受信し、その要求をＭＭＥ３２２へ転送するようになっており、
ＭＭＥ３２２は、ソースネットワーク３２１からの接続要求を受信し、ＳＧＷ３２３へのベアラを設定し、ＳＧＷ３２３とＰＤＮ  ＧＷ３２４の間に接続が確立されるか更新されると、ユーザプレーンの上りリンクおよび下りリンクのデータパスをソースネットワーク３２１からターゲットネットワークへ切り替えないようにＰＤＮ  ＧＷ３２４へ指示し、ＵＥがターゲットネットワークへ接続された後に、ユーザプレーンの上りリンクおよび下りリンクのデータパスをソースネットワーク３２１からターゲットネットワークへの切り替えるようにＰＤＮ  ＧＷ３２４へ指示するようになっており、
ＳＧＷ３２３は、ＭＭＥ３２２との接続を確立し、ＰＤＮ  ＧＷ３２４との接続を確立もしくは更新し、受信したもしくは自分で生成したユーザプレーンの上りリンクおよび下りリンクのデータパス処理指示をＰＤＮ  ＧＷ３２４へ送信し、そして、ＵＥがターゲットネットワークへ接続された後に、ユーザプレーンの上りリンクおよび下りリンクのデータパスをソースネットワーク３２１からターゲットネットワークへ切り替えるようにＰＤＮ  ＧＷ３２４へ指示するようになっており、
ＰＤＮ  ＧＷ３２４は、ＳＧＷ３２３との接続を確立あるいは更新し、ユーザプレーンの上りリンクおよび下りリンクのデータパス処理指示を受信し、ユーザプレーンの上りリンクおよび下りリンクのデータパスを、ソースネットワーク３２１中に維持し、そして、ＵＥがターゲットネットワークへ接続された後に、ユーザプレーンの上りリンクおよび下りリンクのデータパスをソースネットワーク３２１からターゲットネットワークへ切り替えるようになっている。
【００６４】
実際に、図３ｃに示した最適ｉｎｔｅｒ−ＲＡＴ切換を実装するためのシステムが、
ソースネットワーク３２１からの接続要求を受信し、ＳＧＷ３２３へのベアラを設定し、ＳＧＷ３２３とＰＤＮ  ＧＷ３２４の間に接続が確立されるか更新されると、ユーザプレーン下りリンクのデータパスをソースネットワーク３２１からターゲットネットワークへ切り替え、かつユーザプレーン上りリンクのデータパスをソースネットワーク３２１に保持するようにＰＤＮ  ＧＷ３２４へ指示し、そして切換準備が完了しかつＵＥがターゲットネットワークへ接続されると、ユーザプレーン上りリンクのデータパスをソースネットワーク３２１からターゲットネットワークへの切り替えるようにＰＤＮ  ＧＷ３２４へ指示するようになっているＭＭＥ３２２と、
ＭＭＥ３２２との接続を確立し、ＰＤＮ  ＧＷ３２４との接続を確立もしくは更新し、受信したもしくは自分で生成したユーザプレーン下りリンクのデータパス処理指示をＰＤＮ  ＧＷ３２４へ送信し、そして、ＵＥがターゲットネットワークへ接続された後に、ユーザプレーン上りリンクのデータパスをソースネットワーク３２１からターゲットネットワークへ切り替えるようにＰＤＮ  ＧＷ３２４へ指示するようになっているＳＧＷ３２３と、
ＳＧＷ３２３との接続を確立もしくは更新し、ユーザプレーン下りリンクのデータパス処理指示を受信し、ユーザプレーン下りリンクのデータパスをソースネットワーク３２１からターゲットネットワークへ切り替え、ユーザプレーン上りリンクのデータパスをソースネットワーク３２１に保持し、ＵＥがターゲットネットワークへ接続された後に、ユーザプレーン上りリンクのデータパスをソースネットワーク３２１からターゲットネットワークへ切り替えるようになっているＰＤＮ  ＧＷ３２４と、を含む。
【００６５】
図３ｄは、本発明の実施形態における最適化ｉｎｔｅｒ−ＲＡＴ切換を実装するためのシステムの第４の構造を示す概略図である。図３ｄに示すように、このシステムがソースアクセスゲートウェイ３３１、ターゲットアクセスゲートウェイ３３２、アンカゲートウェイ３３３、およびＰＣＲＦ３３４を含み、ここで、
ソースアクセスゲートウェイ３３１は、ＵＥからの接続要求を受信し、その要求をターゲットアクセスゲートウェイ３３２へ転送するようになっており、
ターゲットアクセスゲートウェイ３３２は、ソースゲートウェイ３３１からの接続要求を受信し、ベアラ設定要求をアンカゲートウェイ３３３へ送信するようになっており、
アンカゲートウェイ３３３は、ベアラ設定要求を受信し、ＰＣＲＦ３３４と対話してターゲットネットワークに適用可能なＰＣＣルールを取得し、２組のＰＣＣルールの課金ルールを施行し、切換準備が完了しかつＵＥがターゲットネットワークに接続された後に、ソースネットワーク３３１に適用可能なＰＣＣルールを削除するようになっており、
実際にはアンカゲートウェイ３３３はＰＤＮ  ＧＷであってもよく、
ＰＣＲＦ３３４は、アンカＧＷ３３３と対話してＰＣＣルールを配信するようになっている。
【００６６】
図３ｅは、本発明の実施形態によるＭＭＥの構造を示す概略図である。図３ｅに示すように、ＭＭＥ装置は受信ユニット３４１および処理ユニット３４２を含み、
受信ユニット３４１は、セルＩＤを受信し、セルＩＤを処理ユニット３４２へ送信するようになっており、
処理ユニット３４２は、セルＩＤを受信し、セルＩＤとターゲットネットワークＩＤとの間の設定されたマッピングから対応するターゲットネットワークＩＤを取得し、そのターゲットネットワークのアクセスノードを決定し、ターゲットネットワークへベアラ確立要求を送信するようになっている。
【００６７】
本発明による最適化ｉｎｔｅｒ−ＲＡＴ切換を実装するための方法を５つの実施形態で以下に説明する。
【００６８】
＜第１の実施形態＞
この実施形態は、ＵＥが他のＡＮからＥ−ＵＴＲＡＮへ切り換えられる際に、ＭＭＥがＥｖｏｌｖｅｄ  Ｂａｓｅ  Ｎｏｄｅ（ＥＮＢ）  をどのように選択するかを説明する。
【００６９】
ＵＥが他のＡＮからＥ−ＵＴＲＡＮへ切り換えられる際に、ＭＭＥが、選択可能な２つの方法でＥＮＢを選択する。
【００７０】
方法１：他のＡＮが、セルＩＤとＥ−ＵＴＲＡＮのターゲットＩＤとの間のマッピング情報を設定ないしは取得し、切換決定がされた場合に、この他のＡＮがセルＩＤに従って適切なターゲットＩＤを決定し、Ｓ１０１インタフェースを介してこのターゲットＩＤをトンネルメッセージでＭＭＥへ送信する。ＭＭＥはターゲットＩＤを受信し、このターゲットＩＤに従ってＥＮＢを選択する。
【００７１】
方法２：ＭＭＥがセルＩＤとターゲットＩＤとの間のマッピング情報を設定ないしは取得する。ＵＥもしくは他のＡＮが、Ｓ１０１インタフェースを介してトンネルメッセージでＭＭＥへセルＩＤを送信する。ＭＭＥが、受信したセルＩＤに従って適切なターゲットＩＤを決定し、対応するＥＮＢを選択する。
【００７２】
図４は本発明の第１の実施形態における最適化ｉｎｔｅｒ−ＲＡＴ切換を実装する方法のフローチャートである。この実施形態においては、セルＩＤとターゲットＩＤのマッピングは他のＡＮで設定され、この他のＡＮがターゲットＩＤをＭＭＥへ送信する。図４に示すように、このプロセスには以下のステップが含まれる。
【００７３】
ステップ４０１：ＵＥもしくは他のＡＮが切換を決定する。
【００７４】
このステップにおいて、他のＡＮは選択されたセルＩＤに従って、セルＩＤとターゲットＩＤの間の設定されたマッピングから適切なターゲットＩＤを取得してもよい。
【００７５】
ステップ４０２：ＵＥが接続要求を保持するメッセージＺを他のＡＮへ送信する。
【００７６】
このステップでは、ＵＥから他のＡＮへ送信されるメッセージＺはＨＲＰＤネットワークで定義され、Ｅ−ＵＴＲＡＮへの接続開始のためのものである。
【００７７】
ステップ４０３：他のＡＮが直接転送メッセージをＭＭＥへ送信する。
【００７８】
このステップでは、ターゲットＩＤがステップ４０１で決まっていない場合には、他のＡＮが、選択されたセルＩＤに従って、セルＩＤとターゲットＩＤの間の設定されたマッピングから適切なターゲットＩＤを取得する。
【００７９】
ステップ４０４：ＭＭＥが、認証とロケーションの更新を要求し、加入者データを取得し、適切なＭＭコンテキストを確立する。
【００８０】
ステップ４０５：ＭＭＥが適切なＳＧＷを選択し、ベアラ設定要求をＳＧＷへ送信する。
【００８１】
このステップでは、ＳＧＷはベアラ設定要求をＰＤＮ  ＧＷにも送ってよい。
【００８２】
ステップ４０６：ＭＭＥが、受信した直接転送メッセージに保持されるターゲットＩＤに従って適切なＥ−ＵＴＲＡＮを選択する。
【００８３】
実際には、ステップ４０６、４０５、４０４はランダムな順序で実行されてもよい。ステップ４０６はステップ４０５の前、あるいはステップ４０４の前に実行してもよい。ステップ４０５はステップ４０４に先行してもよく、Ｅ−ＵＴＲＡＮが選択された後にステップ４０７が続く。
【００８４】
ステップ４０７：ＭＭＥが選択されたＥ−ＵＴＲＡＮへ接続を設定する。
【００８５】
ステップ４０８：他のＡＮからＥ−ＵＴＲＡＮへの切換プロセスの残りのステップが完了する。
【００８６】
図５は本発明の第１の実施形態における最適化ｉｎｔｅｒ−ＲＡＴ切換の実装方法の別のフローチャートである。この実施形態においては、セルＩＤとターゲットＩＤの間のマッピングはＭＭＥ上で設定され、ＵＥもしくは他のＡＮがＭＭＥへセルＩＤ情報を送信する。図５に示すように、この切換プロセスは、図４に示したプロセスとは以下に述べるステップが異なっている。
【００８７】
ステップ５０３：他のＡＮが、選択されたセルＩＤ情報を保持する直接転送メッセージをＭＭＥへ送信する。
【００８８】
ステップ５０６：ＭＭＥが、受信された直接転送メッセージに保持されたセルＩＤに従って、セルＩＤとターゲットＩＤの間の設定されたマッピングから適切なターゲットＩＤを取得し、そのターゲットＩＤに従って適切なＥ−ＵＴＲＡＮを選択する。
【００８９】
＜第２の実施形態＞
この実施形態は、ＭＭＥが適切なＥ−ＵＴＲＡＮを選択した後、そのＥ−ＵＴＲＡＮとの接続を確立する特定のプロセスを扱う。
【００９０】
ＳＧＷ情報を選択し取得した後、ＵＥに関して選択されたＥＮＢとの接続が確立されていないことがＭＭＥに分かり、かつ現状のプロセスが切換の接続設定プロセスであると判定した場合には、ＭＭＥはＥＮＢへの接続を開始し、ユーザプレーンの上りリンクのベアラおよびセキュリティモードの設定を完了する。
【００９１】
図６は本発明の第２の実施形態における最適化ｉｎｔｅｒ−ＲＡＴ切換の実装方法のフローチャートである。この実施形態では、適切なＥ−ＵＴＲＡＮを選択した後に、ＭＭＥがＥ−ＵＴＲＡＮとの接続を開始する。図６に示すように、このプロセスには以下のステップが含まれる。
【００９２】
ステップ６０１：ＵＥもしくはネットワークが切換を決定する。
【００９３】
ステップ６０２：ＵＥが他のＡＮを介して接続要求をＭＭＥへ送信する。
【００９４】
このステップでは、他のＡＮは接続メッセージをトランスペアレントに伝送する。
【００９５】
ステップ６０３：ＭＭＥが、認証とロケーションの更新を要求し、加入者データを取得し、適切なＭＭコンテキストを確立する。
【００９６】
ステップ６０４：ＭＭＥが適切なＳＧＷを選択し、ベアラ設定要求をＳＧＷへ送信する。
【００９７】
このステップでは、ＳＧＷはベアラ設定要求をＰＤＮ  ＧＷにも送ってよい。
【００９８】
ステップ６０５：ＭＭＥが、受信したターゲットＩＤに従って、適切なＥ−ＵＴＲＡＮを選択する。
【００９９】
ステップ６０６：ＭＭＥがＥ−ＵＴＲＡＮを選択し判断をする。
【０１００】
このステップでは、ＭＭＥがＥ−ＵＴＲＡＮを選択した後、ＭＭＥが以下の条件に合うかどうかをチェックする。
【０１０１】
１．切換の接続設定プロセスが進行中である。
【０１０２】
２．ＳＧＷとＭＭＥとの間に既に接続が確立している。
【０１０３】
３．そのＵＥに関しては、ＭＭＥは、選択されたＥ−ＵＴＲＡＮへ接続を行わない。
【０１０４】
この３つの条件が満たされれば、ＳＧＷ情報、ＵＥの機能パラメータ、セキュリティモードパラメータを保持するリソース予約要求を、ＭＭＥがＥ−ＵＴＲＡＮへ送信する。
【０１０５】
ステップ６０７：Ｅ−ＵＴＲＡＮがリソース予約応答を返す。
【０１０６】
このステップでは、Ｅ−ＵＴＲＡＮが、無線リソース制御（ＲＲＣ）暗号化、保全性保護、およびユーザプレーン暗号化のためのアルゴリズムを選択し、受信したリソース予約要求に従ってＲＲＣ関連の環境設定情報を決定する。そしてＥ−ＵＴＲＡＮがＭＭＥへリソース予約応答を返す。応答メッセージは、Ｅ−ＵＴＲＡＮのトンネルエンドポイント識別子（ＴＥＩＤ）などの選択されたＥ−ＵＴＲＡＮの情報や、ＲＲＣ設定情報や選択されたセキュリティパラメータなどを含む切換命令を保持する。
【０１０７】
ステップ６０８：他のＡＮからＥ−ＵＴＲＡＮへの切換プロセスの残りのステップが完了する。
【０１０８】
＜第３の実施形態＞
この実施形態では、専用ベアラが２つの方式で確立される。
【０１０９】
方式１：専用ベアラが１つずつ設定される。デフォルトベアラが設定された後、ネットワーク側のポリシーおよび課金ルール機能（ＰＣＲＦ）が存在するベアラ設定制御エンティティ、たとえばＳＧＷやＰＤＮ  ＧＷなど、が１つずつ専用ベアラ設定プロセスを開始する。ＭＭＥは受信したベアラ設定メッセージを処理し、メッセージを送信するかあるいはメッセージに指示パラメータを追加するかして、Ｅ−ＵＴＲＡＮにエアインタフェースベアラ設定プロセスを開始しないように指示する。
【０１１０】
方式２：専用ベアラ情報がメッセージの中で伝送される。要求されたベアラの情報はメッセージに保持され、そのメッセージが往復してきた後、専用ベアラが設定される。そして応答メッセージが、専用ベアラの設定の成否情報を保持する。
【０１１１】
図７は本発明の第３の実施形態の、ＰＭＩＰに基づくＳＧＷとＰＤＮ  ＧＷの対話の間に、すべてのベアラ情報が１つのメッセージで伝送される方法のフローチャートである。図７に示すように、このプロセスには以下のステップが含まれる。
【０１１２】
ステップ７０１：ＭＭＥが、切換の接続設定プロセスが進行中であることをＳＧＷに通知する指示を保持するベアラ設定メッセージをＳＧＷへ送信する。
【０１１３】
ステップ７０２：ＳＧＷがベアラ設定メッセージを受信し、ＰＣＲＦに対してＩＰ−ＣＡＮ修正プロセスを開始する。この対話中に、ＳＧＷが適切なＩＰ−ＣＡＮタイプをＰＣＲＦに送信する。
【０１１４】
このステップは選択可能である。
【０１１５】
ステップ７０３：ＳＧＷがＰＣＲＦから返されたＰＣＣルールを受信し、すべてのベアラに対してリソースの予約が必要であると判定する。ＳＧＷは、予約済みの全てのベアラ情報を保持するベアラ設定応答をＭＭＥへ送信する。
【０１１６】
このステップでは、ベアラ情報にはＴＥＩＤ情報が含まれる。
【０１１７】
ステップ７０４：ＭＭＥがＥ−ＵＴＲＡＮとのベアラを設定する。
【０１１８】
このステップにおいては、確立されたベアラがデフォルトベアラおよび専用ベアラを含んでもよい。
【０１１９】
ステップ７０５：ＭＭＥがベアラ更新メッセージをＳＧＷに送信する。このベアラ更新メッセージは、ベアラの設定成功情報および設定失敗情報を含み、Ｅ−ＵＴＲＡＮにより確立されたベアラ情報を保持する。
【０１２０】
ステップ７０６：ＳＧＷがプロキシバインディング更新（ＰＢＵ）メッセージをＰＤＮ  ＧＷへ送信し、ユーザプレーンパスを確立する。
【０１２１】
このステップは選択可能である。ユーザプレーン下りリンクのデータパスを前もってＥ−ＵＴＲＡＮへ切り替える必要がある場合にのみ、このステップは必要である。ＰＢＵメッセージあるいはＰＢＵメッセージ中の拡張パラメータが、ユーザプレーン下りリンクのデータパスをＥ−ＵＴＲＡＮへ切り替え、ユーザプレーン上りリンクのデータパスをＨＲＰＤネットワーク中に維持するようにＰＤＮ  ＧＷへ指示する。この指示は、ＭＭＥによって送信されても、ＳＧＷによって直接送信されても、またＳＧＷによって再生されてもよい。
【０１２２】
ステップ７０７：ＰＤＮ  ＧＷがＰＣＲＦと対話する。
【０１２３】
このステップは選択可能である。ＰＤＮ  ＧＷがＰＣＲＦと対話してＰＣＣルールを取得する。
【０１２４】
ステップ７０８：ＰＤＮ  ＧＷがプロキシバインディング応答メッセージ（ＰＢＡ）をＳＧＷへ返す。
【０１２５】
このステップは選択可能である。ＰＤＮ  ＧＷからＳＧＷへとＰＤＮ  ＧＷからＥ−ＵＴＲＡＮへのユーザプレーンパスが接続される。Ｅ−ＵＴＲＡＮが下りリンクデータを受信すれば、Ｅ−ＵＴＲＡＮが下りリンクのデータを一時格納する。
【０１２６】
ステップ７０９：ＳＧＷがベアラ設定完了通知をＭＭＥに送信し、指示パラメータあるいは特定メッセージを介してベアラ設定を完了したことをＭＭＥに指示する。
【０１２７】
このステップにおいて、指示パラメータとはベアラ設定完了通知メッセージに保持される指示パラメータのことであり、特定メッセージとはベアラ設定完了通知メッセージである。
【０１２８】
ＵＥがターゲットネットワークとの接続に成功すると、ＳＧＷがＰＤＮ  ＧＷに対して、ＰＢＵあるいは拡張ＰＢＵメッセージを介してＥ−ＵＴＲＡＮにユーザプレーン上りリンクおよび下りリンクのデータパスを切り替えるように指示する。この指示は、ＭＭＥによって送信されても、ＳＧＷによって直接送信されても、またＳＧＷによって再生されてもよい。
【０１２９】
図８は本発明の第３の実施形態の、ＰＭＩＰに基づくＳＧＷとＰＤＮ  ＧＷの対話の間、ベアラが順次設定される方法のフローチャートである。図８に示すように、このプロセスには以下のステップが含まれる。
【０１３０】
ステップ８０１：ＭＭＥが、切換の接続設定プロセスが進行中であることをＳＧＷに通知する指示を保持するベアラ設定メッセージをＳＧＷへ送信する。
【０１３１】
ステップ８０２：ＳＧＷがベアラ設定メッセージを受信し、ＰＣＲＦに対してＩＰ−ＣＡＮ修正プロセスを開始する。この対話中にＳＧＷが適切なＩＰ−ＣＡＮタイプをＰＣＲＦに送信する。
【０１３２】
このステップは選択可能である。
【０１３３】
ステップ８０３：ＳＧＷがＰＣＲＦから返されたＰＣＣルールを受信し、すべてのベアラ用にリソース予約が必要であることを判定する。ＳＧＷは、デフォルトベアラの情報を保持するベアラ設定応答をＭＭＥに送信する。
【０１３４】
このステップでは、デフォルトベアラの情報にはＴＥＩＤ情報が含まれる。
【０１３５】
ステップ８０４：ＭＭＥがＥ−ＵＴＲＡＮとのデフォルトベアラを設定する。
【０１３６】
ステップ８０５：ＭＭＥが、Ｅ−ＵＴＲＡＮにより確立されたデフォルトベアラの情報を保持するベアラ更新メッセージをＳＧＷへ送信する。
【０１３７】
ステップ８０６：ＳＧＷがベアラ更新応答メッセージをＭＭＥに返す。
【０１３８】
ステップ８０７：ＳＧＷが専用ベアラ設定要求をＭＭＥに送信し、専用ベアラの設定を要求する。
【０１３９】
このステップで、ＳＧＷは複数の専用ベアラを設定するために、ＭＭＥに対して専用ベアラ設定要求を複数送信してもよい。
【０１４０】
ステップ８０８：ＭＭＥがＥ−ＵＴＲＡＮに専用ベアラの設定を通知し、この通知メッセージは、Ｅ−ＵＴＲＡＮにエアインタフェース接続を設定しないように指示する情報を保持する。この指示は、ＭＭＥからＥ−ＵＴＲＡＮに送信するメッセージであってもよいし、あるいはＭＭＥからＥ−ＵＴＲＡＮに送信するメッセージで保持される拡張指示パラメータであってもよい。
【０１４１】
ステップ８０９：Ｅ−ＵＴＲＡＮが専用ベアラ設定応答をＭＭＥへ送信する。
【０１４２】
ステップ８１０：ＭＭＥが、Ｅ−ＵＴＲＡＮにより確立された専用ベアラの情報を保持する専用ベアラ設定応答をＳＧＷへ送信する。
【０１４３】
ステップ８１１：すべての専用ベアラが確立されたと判定されると、ＳＧＷがユーザプレーンパス設定のためのＰＢＵメッセージをＰＤＮ  ＧＷへ送信する。
【０１４４】
このステップは選択可能である。ユーザプレーン下りリンクのデータパスを前もってＨＲＰＤネットワークからＥ−ＵＴＲＡＮへ切り替える必要がある場合にのみ、このステップは必要である。ＰＢＵメッセージあるいはＰＢＵメッセージ中の拡張パラメータが、ユーザプレーン下りリンクのデータパスをＥ−ＵＴＲＡＮへ切り替え、ユーザプレーン上りリンクのデータパスをＨＲＰＤネットワーク中に維持するように、ＰＤＮ  ＧＷへ指示する。この指示は、ＭＭＥによって送信されても、ＳＧＷによって直接送信されても、またＳＧＷによって再生されてもよい。
【０１４５】
ステップ８１２：ＰＤＮ  ＧＷがＰＣＲＦと対話する。
【０１４６】
このステップは選択可能である。ＰＤＮ  ＧＷがＰＣＲＦと対話してＰＣＣルールを取得する。
【０１４７】
ステップ８１３：ＰＤＮ  ＧＷがＰＢＡメッセージをＳＧＷへ送信する。
【０１４８】
このステップは選択可能である。ＰＤＮ  ＧＷからＳＧＷへとＰＤＮ  ＧＷからＥ−ＵＴＲＡＮへのユーザプレーンパスが接続される。Ｅ−ＵＴＲＡＮが下りリンクのデータを受信する場合には、Ｅ−ＵＴＲＡＮが下りリンクのデータを一時格納する。
【０１４９】
ステップ８１４：ＳＧＷがベアラ設定完了通知をＭＭＥへ送信する。
【０１５０】
このステップで、ＳＧＷが、すべての専用ベアラの設定が完了したと判定すれば、ベアラ設定完了通知メッセージが、特定メッセージもしくは指示パラメータを介してベアラ設定が完了したことをＭＭＥに指示するパラメータを保持する。指示パラメータとはベアラ設定完了通知メッセージに保持される指示パラメータのことであり、特定メッセージとはベアラ設定完了通知メッセージである。ＭＭＥが指示パラメータを受信した後、ＭＭＥはすべてのベアラの設定完了に係わる後続処理を開始してもよい。
【０１５１】
ステップ８１５：ＭＭＥがベアラ設定完了通知確認応答をＳＧＷへ返す。
【０１５２】
ＵＥがターゲットネットワークとの接続に成功すると、ＳＧＷがＰＤＮ  ＧＷに対して、ＰＢＵあるいは拡張ＰＢＵメッセージを介してユーザプレーンの上りリンクおよび下りリンクのデータパスをＥ−ＵＴＲＡＮに切り替えるように指示する。この指示は、ＭＭＥによって送信されても、ＳＧＷによって直接送信されても、またＳＧＷによって再生されてもよい。
【０１５３】
図９は本発明の第３の実施形態の、ＧＴＰに基づくＳＧＷとＰＤＮ  ＧＷの対話の間に、ベアラが一度に設定される方法のフローチャートである。図９に示すように、このプロセスには以下のステップが含まれる。
【０１５４】
ステップ９０１：ＭＭＥが、切換の接続設定プロセスが進行中であることをＳＧＷに通知する指示を保持するベアラ設定メッセージをＳＧＷへ送信する。
【０１５５】
ステップ９０２：ベアラ設定メッセージを受信すると、ＳＧＷが接続要求をＰＤＮ  ＧＷへ送信する。
【０１５６】
このステップにおいて、ＳＧＷが、受信したベアラ設定メッセージから、すべての要求されているベアラのＱｏＳ情報を取得すれば、ＳＧＷはすべてのベアラ用のリソースを予約するか、さもなくばＳＧＷはデフォルトのベアラリソースを予約する。ＳＧＷによりＰＤＮ  ＧＷへ送信された接続要求は、特定メッセージであるか、あるいは特定パラメータを保持するものであってよい。このメッセージは“パスの切り替え禁止”あるいは“下りリンクパスの切り替え”の指示を保持する。このメッセージで保持される指示が“パスの切り替え禁止”であれば、指示を受取ると、ＰＤＮ  ＧＷはユーザプレーンの上りリンクおよび下りリンクのデータ切り替えを行わず、ベアラの設定だけを進める。メッセージで保持される指示が“下りリンクパスの切り替え”であれば、指示を受取ると、ＰＤＮ  ＧＷはデフォルトおよび専用のベアラの設定が現Ｅ−ＵＴＲＡＮで完了していないことを判定して、ベアラの設定を進める。
【０１５７】
ステップ９０３：ＰＤＮ  ＧＷはＩＰ−ＣＡＮ修正の対話をＰＣＲＦと行う。このプロセスでは、ＰＤＮ  ＧＷが適切なＩＰ−ＣＡＮタイプをＰＣＲＦへ送信し、ＰＣＲＦによって配信されたＰＣＣルールを受信する。
【０１５８】
ステップ９０４：ＰＤＮ  ＧＷはすべてのベアラ用にリソースを予約し、予約リソース情報を保持する接続応答をＳＧＷへ送信する。
【０１５９】
このステップでは予約リソース情報に一連のＴＥＩＤが含まれる。
【０１６０】
ステップ９０５：ＳＧＷが接続応答メッセージを受信し、ベアラ設定応答をＭＭＥへ送信する。
【０１６１】
このステップで、ＳＧＷが接続応答メッセージを受信し、そして、十分なリソースが予約されていないことが判明すると、ＳＧＷは、受信した接続応答メッセージに保持される、ＰＤＮ  ＧＷによって予約されたリソース情報に従って、ＳＧＷが再びリソースを予約し、ＳＧＷにより予約したすべてのリソースの情報を保持する、ベアラ設定応答メッセージをＭＭＥへ送信する。
【０１６２】
ステップ９０６：ＭＭＥがＥ−ＵＴＲＡＮへリソースを予約するように通知し、メッセージあるいはパラメータを介してＥ−ＵＴＲＡＮに、エアインタフェース接続を設定しないように指示する。
【０１６３】
このステップで、メッセージはリソース予約メッセージであってよく、指示パラメータはリソース予約メッセージで保持される指示パラメータであってよい。
【０１６４】
ステップ９０７：ＭＭＥがベアラ更新メッセージをＳＧＷに送信する。ベアラ更新メッセージは、ベアラの設定成功情報および設定失敗情報を含み、Ｅ−ＵＴＲＡＮにより確立されたベアラの情報を保持する。
【０１６５】
ステップ９０８：ＳＧＷが、下りリンクデータ切り替え指示を保持する、ベアラ更新メッセージをＰＤＮ  ＧＷへ送信する。
【０１６６】
このステップで、ＳＧＷがベアラ更新メッセージを受信し、そして、予約されたリソースがＰＤＮ  ＧＷによって予約されたものと不一致であることを検出した場合には、ＳＧＷが、予約する新リソースの情報をベアラ更新メッセージに保持させる。不一致は、ＳＧＷがデフォルトのベアラリソースのみを予約するステップ９０２で発生する可能性がある。
【０１６７】
メッセージを受信すると、ＰＤＮ  ＧＷが、Ｅ−ＵＴＲＡＮのデフォルトおよび専用のベアラの設定が完了していることを判定する。ステップ９０２で保持されたパラメータが“下りリンクパスの入れ替え”であれば、ＰＤＮ  ＧＷが、ユーザプレーン下りリンクのデータパスをＥ−ＵＴＲＡＮに切り替え、かつユーザプレーン上りリンクのデータパスをＨＲＰＤネットワーク内に維持する。
【０１６８】
ステップ９０９：ＰＤＮ  ＧＷがベアラ更新応答をＳＧＷへ送信する。
【０１６９】
ステップ９１０：ＳＧＷがベアラ設定完了通知をＭＭＥに送信し、指示パラメータあるいは特定メッセージを介してベアラ設定を完了したことをＭＭＥに指示する。指示パラメータとはベアラ設定完了通知メッセージに保持される指示パラメータのことであり、特定メッセージとはベアラ設定完了通知メッセージである。
【０１７０】
ＵＥのターゲットネットワークへの接続に成功すると、ＳＧＷが特定のメッセージもしくは指示パラメータを利用して、ソースネットワークに保持されている上りリンクパスを切り替えるようにＰＤＮ  ＧＷへ指示する。このステップの後、ＵＥに関するユーザプレーン上りリンクおよび下りリンクのデータパスの両方がターゲットネットワークへ切り替えられる。
【０１７１】
図１０は本発明の第３の実施形態の、ＧＴＰに基づくＳＧＷとＰＤＮ  ＧＷの対話の間に、ベアラが順次設定される方法のフローチャートである。図１０に示すように、このプロセスには以下のステップが含まれる。
【０１７２】
ステップ１００１：ＭＭＥが、切換の接続設定プロセスが進行中であることをＳＧＷに通知する指示を保持するベアラ設定メッセージをＳＧＷへ送信する。
【０１７３】
ステップ１００２：ＳＧＷがデフォルトのベアラ設定メッセージを受信し、リソースを予約し、接続要求をＰＤＮ  ＧＷへ送信する。
【０１７４】
このステップにおいて、要求されているすべてのベアラのＱｏＳ情報をＳＧＷが、受信したベアラ設定メッセージから取得すれば、ＳＧＷはすべてのベアラ用のリソースを予約するか、さもなければＳＧＷはデフォルトのベアラリソースを予約する。ＳＧＷによりＰＤＮ  ＧＷへ送信された接続要求は、特定メッセージであるか、あるいは特定パラメータを保持するものであってよい。このメッセージは“パスの切り替え禁止“指示、あるいは”下りリンクパス切り替え“指示を保持する。このメッセージで保持される指示が“パス切り替え禁止“指示であれば、指示を受取ると、ＰＤＮ  ＧＷはユーザプレーンの上りリンクおよび下りリンクのデータ切り替えを行わず、ベアラの設定だけを進める。メッセージで保持される指示が“下りリンクパスの切り替え”であれば、指示を受取ると、ＰＤＮ  ＧＷはデフォルトおよび専用のベアラの設定が現Ｅ−ＵＴＲＡＮで完了していないことを判定して、ベアラの設定を進める。
【０１７５】
ステップ１００３：ＰＤＮ  ＧＷがすべてのベアラのＰＣＣルールを取得するために、ＰＣＲＦと対話する。
【０１７６】
ステップ１００４：ＰＤＮ  ＧＷはすべてのベアラ用にリソースを予約し、確立したデフォルトベアラ情報を保持する接続応答をＳＧＷへ送信する。
【０１７７】
ステップ１００５：ＳＧＷが接続応答メッセージを受信し、デフォルトベアラ設定応答をＭＭＥへ送信する。
【０１７８】
ステップ１００６：ＭＭＥがＥ−ＵＴＲＡＮとのデフォルトベアラを設定する。
【０１７９】
ステップ１００７：ＭＭＥが、デフォルトベアラがＥ−ＵＴＲＡＮにより確立されたことを保持するベアラ更新メッセージをＳＧＷへ送信する。
【０１８０】
ステップ１００８：ＳＧＷがベアラ更新応答メッセージをＭＭＥに返す。
【０１８１】
ステップ１００９：ＰＤＮ  ＧＷが専用ベアラ設定メッセージをＳＧＷへ送信する。
【０１８２】
このステップでは、複数の専用ベアラの設定が必要であれば、ＰＤＮ  ＧＷが複数の専用ベアラを同時にあるいは順次に設定してもよい。
【０１８３】
ステップ１０１０：ＳＧＷが専用ベアラリソースを予約し、確立した専用ベアラの情報を保持する、専用ベアラ設定要求をＭＭＥに送信する。
【０１８４】
ステップ１０１１：ＭＭＥがＥ−ＵＴＲＡＮとの専用ベアラを設定し、Ｅ−ＵＴＲＡＮに、エアインタフェース接続を確立しないように指示する。
【０１８５】
このステップでは、Ｅ−ＵＴＲＡＮが専用ベアラ用のリソースを予約し、ＭＭＥとの専用ベアラを設定する。ＭＭＥが、メッセージもしくは指示パラメータを介して、Ｅ−ＵＴＲＡＮに、エアインタフェース接続を設定しないように指示する。メッセージはリソース予約メッセージであってよく、指示パラメータはリソース予約メッセージに保持される指示パラメータであってよい。
【０１８６】
ステップ１０１２：Ｅ−ＵＴＲＡＮが専用ベアラリソース予約応答をＭＭＥへ送信する。
【０１８７】
ステップ１０１３：ＭＭＥが、Ｅ−ＵＴＲＡＮにより確立された専用ベアラの情報を保持する専用ベアラ設定応答をＳＧＷへ送信する。
【０１８８】
ステップ１０１４：ＳＧＷが、ＳＧＷにより確立された専用ベアラの情報を保持する専用ベアラ設定応答をＰＤＮ  ＧＷへ送信する。
【０１８９】
このステップでは、メッセージを受信すると、ＰＤＮ  ＧＷが、Ｅ−ＵＴＲＡＮのデフォルトおよび専用のベアラの設定が完了していることを判定する。ステップ１１０２で保持されたパラメータが“下りリンクパス入れ替え”であれば、ＰＤＮ  ＧＷが、ユーザプレーン下りリンクデータパスをＥ−ＵＴＲＡＮに切り替え、かつユーザプレーン上りリンクデータパスをＨＲＰＤネットワーク中に維持する。
【０１９０】
ステップ１０１５：ＰＤＮ  ＧＷが、すべてのベアラの設定が完了したことをＳＧＷへ通知する。
【０１９１】
このステップでは、ＰＤＮ  ＧＷが最後のベアラが確立されたことを判定すると、すべてのベアラの設定が完了したことを、ＰＤＮ  ＧＷがメッセージあるいは指示パラメータを介してＳＧＷへ通知する。
【０１９２】
ステップ１０１６：ＳＧＷがベアラ設定完了通知をＭＭＥに送信し、特定のメッセージもしくは指示パラメータを利用して、すべてのベアラの設定が完了したことをＭＭＥへ通知する。この指示パラメータは、ベアラ設定完了通知に保持される指示パラメータである。特定メッセージとは、ベアラ設定完了通知のことである。この後、ＭＭＥはすべてのベアラの設定完了に関する後続の操作を開始することができる。
【０１９３】
ステップ１０１７：ＭＭＥがベアラ設定完了通知確認応答をＳＧＷへ送信する。
【０１９４】
ステップ１０１８：ＳＧＷがベアラ設定完了通知確認応答をＰＤＮ  ＧＷへ送信する。
【０１９５】
ＵＥがターゲットネットワークとの接続に成功すると、ＳＧＷが特定のメッセージもしくは指示パラメータを利用して、ソースネットワークに保持されている上りリンクパスを切り替えるようにＰＤＮ  ＧＷへ指示する。
【０１９６】
＜第４の実施形態＞
この実施形態は、ユーザプレーン上での損失のない上りリンクおよび下りリンクデータの保証およびサービスの継続性について説明する。
【０１９７】
方法１：ＳＧＷが、ユーザプレーンを切り替えずに、デフォルトおよび／または専用ベアラの設定だけをするようにＰＤＮ  ＧＷに指示するパス切り替え禁止指示を保持するメッセージをＰＤＮ  ＧＷへ送信する。
【０１９８】
ＵＥがターゲットネットワークへ接続された後、ＳＧＷがＰＤＮ  ＧＷへ再び指示を出して、ユーザプレーンの上りリンクおよび下りリンクのデータパスをソースネットワークからターゲットネットワークへ切り替えさせる。
【０１９９】
方法２：ＳＧＷが、ＳＧＷがすべてのベアラの設定が完了したと判定した場合に、下りリンクデータパスをターゲットネットワークへ切り替え、ソースネットワーク中の上りリンクデータパスを保持するように、ＰＤＮ  ＧＷに指示する下りリンクパス切り替え指示を保持するメッセージをＰＤＮ  ＧＷへ送信する。ＵＥがターゲットネットワークへ接続されている場合には、ＭＭＥあるいはＳＧＷがメッセージあるいは指示パラメータをＰＤＮ  ＧＷへ送信し、上りリンクデータパスをターゲットネットワークへ切り替えるようにＰＤＮ  ＧＷに指示する。早期のパス切り替えの指示は、ＭＭＥによって生成、伝送され、ＳＧＷによって転送されるか、あるいは現状に従ってＳＧＷにより生成され、ＳＧＷによって直接伝送されてもよい。
【０２００】
図１１は、本発明の第４の実施形態の、ターゲットアクセスゲートウェイが、ユーザ上りリンクデータパスと下りリンクデータパスを２つのユーザプレーン上で個別に処理するようにアンカゲートウェイに指示する方法のフローチャートである。この実施形態では、ソースネットワーク中の上りリンクデータパスは保持され、下りリンクデータパスが、切換の最初にターゲットネットワークへ切り替えられる。図１１に示すように、このプロセスには以下のステップが含まれる。
【０２０１】
ステップ１１０１：ＵＥがターゲットネットワークにアクセスし、切換が始まる。
【０２０２】
このステップでは、切換が始まる時に、ターゲットアクセスゲートウェイ（ターゲットＡＧＷ）とアンカＧＷとの間にデータパスを設定する必要がある。ターゲットＡＧＷとアンカＧＷとの間の通信がＰＭＩＰに基づいている場合には、プロセスはステップ１１０２ａおよび１１０３ａに進む。ターゲットＡＧＷとアンカＧＷとの間の通信がＧＴＰに基づいている場合には、プロセスはステップ１１０２ｂおよび１１０３ｂに進む。
【０２０３】
ステップ１１０２ａ：ターゲットＡＧＷが、ターゲットネットワーク中のすべてのベアラの設定を完了した後、ターゲットＡＧＷがＰＢＵメッセージをアンカＧＷへ送信する。
【０２０４】
このステップでは、ターゲットＧＷにより送信されたＰＢＵメッセージは、上りリンクと下りリンクの分離指示を保持する。指示情報は、ＰＢＵメッセージのフラグビットＥを拡張して、実装されてもよい。このフラグビットＥは、値１が上りリンクパスと下りリンクパスの分離の必要性を示し、値０が上りリンクパスと下りリンクパスの分離の必要性がないことを示す。
【０２０５】
図１２は本発明の実施形態における指示情報の設定を示す概略図である。図１２では、フラグビットＥが、上りリンクパスと下りリンクパスの分離が必要かどうかを示すように設定される。
【０２０６】
ステップ１１０３ａ：アンカＧＷがＰＢＡメッセージをターゲットＡＧＷへ送信する。
【０２０７】
ステップ１１０２ｂ：ターゲットネットワークがすべてのベアラの設定を完了する前に、ターゲットＡＧＷが、上りリンクと下りリンクの分離指示を保持するＡｃｔｉｖａｔｅ
ＰＤＰ  ＣｏｎｔｅｘｔメッセージをアンカＧＷへ送信する。
【０２０８】
ステップ１１０３ｂ：アンカＧＷがＡｃｔｉｖａｔｅ  ＰＤＰ  Ｃｏｎｔｅｘｔ応答メッセージをターゲットＡＧＷに送信する。
【０２０９】
ステップ１１０４：アンカＧＷがユーザプレーンの上りリンクデータパスと下りリンクデータパスを分離する。
【０２１０】
このステップでは、アンカＧＷがユーザプレーンの上りリンクデータパスをソースネットワーク中に維持し、ユーザプレーンの下りリンクデータパスをソースネットワークからターゲットネットワークへ切り替える。
【０２１１】
ステップ１１０５：切換の残りのステップが完了する。
【０２１２】
このステップでは、切換の残りのステップとして以下のものが含まれる。ＵＥがターゲットネットワークへ切り換えられた後、ターゲットＡＧＷが、通常のＰＢＵかＵｐｄａｔｅ  ＰＤＰ  Ｃｏｎｔｅｘｔメッセージ、すなわちＰＢＵか、アンカＧＷへの拡張指示パラメータを保持するＵｐｄａｔｅ  ＰＤＰ  Ｃｏｎｔｅｘｔメッセージを送信する。この拡張指示パラメータは、ソースネットワーク内に維持されているユーザプレーンの上りリンクデータパスをターゲットネットワークへ切り替えるようにアンカＧＷへ指示するもので、その結果、ＵＥのユーザプレーンの上りリンクパスおよび下りリンクパスの両方がターゲットネットワークへ切り替えられる。
【０２１３】
図１３は、本発明の第４の実施形態の、ターゲットアクセスゲートウェイがアンカゲートウェイにユーザ上りリンクデータパスと下りリンクデータパスを切り替えないように指示する方法のフローチャートである。この実施形態では、ユーザプレーンの上りリンクおよび下りリンクのデータパスはソースネットワーク内に維持されている。図１３に示すように、このプロセスには以下のステップが含まれる。
【０２１４】
ステップ１３０１：ＵＥがターゲットネットワークにアクセスし、切換が始まる。
【０２１５】
このステップでは、切換が始まる時に、ターゲットアクセスゲートウェイ（ターゲットＡＧＷ）とアンカＧＷとの間にデータパスを設定する必要がある。ターゲットＡＧＷとアンカＧＷとの間の通信がＰＭＩＰに基づいている場合には、プロセスはステップ１３０２ａおよび１３０３ａに進む。ターゲットＡＧＷとアンカＧＷとの間の通信がＧＴＰに基づいている場合には、プロセスはステップ１１０２ｂおよび１１０３ｂに進む
【０２１６】
ステップ１３０２ａ：ターゲットＡＧＷが、ターゲットネットワーク中のすべてのベアラの設定を完了した後、ターゲットＡＧＷがＰＢＵメッセージをアンカＧＷへ送信する。
【０２１７】
このステップでは、ターゲットＧＷにより送信されたＰＢＵメッセージは、ユーザプレーンの上りデータパスもユーザプレーンの下りデータパスも切り替えない指示を保持する。指示情報はＰＢＵメッセージのフラグビットＮを拡張して実装されてもよく、このフラグビットＮの値１が、ユーザプレーンの上りリンクデータパスもユーザプレーンの下りリンクデータパスも切り替えないように指示する。
【０２１８】
図１４は本発明の実施形態における指示情報の設定を示す別の概略図である。図１４では、フラグビットＮを１にすれば、これはユーザプレーンの上りリンクデータパスも下りリンクデータパスも切り替えないことを指示する。
【０２１９】
ステップ１３０３ａ：アンカＧＷがＰＢＡメッセージをターゲットＡＧＷへ送信する。
【０２２０】
ステップ１３０２ｂ：ターゲットネットワークがすべてのベアラの設定を完了する前に、ターゲットＡＧＷが、上りリンクデータパスも下りリンクデータパスも切り替えない指示を保持するＡｃｔｉｖａｔｅ  ＰＤＰ  ＣｏｎｔｅｘｔメッセージをアンカＧＷへ送信する。
【０２２１】
ステップ１３０３ｂ：アンカＧＷがＡｃｔｉｖａｔｅ  ＰＤＰ  Ｃｏｎｔｅｘｔ応答メッセージをターゲットＡＧＷに送信する。
【０２２２】
ステップ１３０４：アンカＧＷがユーザプレーンの上りリンクパスと下りリンクパスとを分離し、このユーザプレーン上りリンクデータパスおよび下りリンクデータパスをソースネットワーク内に維持する。
【０２２３】
実際には、切換が完了すると、ユーザプレーンの上りリンクデータパスと下りリンクデータパスとの分離プロセスをキャンセルする必要がある。ＰＭＩＰの場合には、フラグビットをリセットするのに通常のＰＢＵメッセージを送信しさえすればよいが、ＧＴＰの場合には、Ｕｐｄａｔｅ  ＰＤＰ  Ｃｏｎｔｅｘｔメッセージが必要である。
【０２２４】
＜第５の実施形態＞
この実施形態では、切換プロセス中のＰＣＣ制御（例えば、課金制御）に関する以下の技術的解法が提供される。
【０２２５】
１．アンカＧＷがＰＣＲＦと対話して、ターゲットネットワークに適用可能なＰＣＣルールを取得する。２組のＰＣＣルールがアンカＧＷにおいて利用可能である。
【０２２６】
２．アンカＧＷは２組のＰＣＣルールを同時に施行し、ソースネットワークへのベアラ設定を開始し、ソースネットワークとターゲットネットワークをそれぞれに制御して例えばソースネットワークとターゲットネットワークとで同時に課金を実施する。
【０２２７】
３．ＵＥがターゲットネットワークへ接続されている場合、アンカＧＷはソースネットワークに適用可能なＰＣＣルールを削除し、次にアンカＧＷはターゲットネットワークに適用可能なＰＣＣルールを実施する。
【０２２８】
図１５は、本発明の第５の実施形態の、切換プロセス中に、アンカＧＷ上のＰＣＥＦがソース／ターゲットネットワークのＰＣＣルールを制御する方法のフローチャートである。この実施形態では、ベアラ設定の前にＳＧＷとＰＤＮ  ＧＷとの接続が確立される。図１５に示すように、このプロセスには以下のステップが含まれる。
【０２２９】
ステップ１５０１：ＵＥがターゲットネットワークとの接続を確立し、切換が始まる。
【０２３０】
このステップでは、ターゲットＧＷとアンカＧＷとの間にはデータパスはまだ確立されていなくて、アンカＧＷはＰＤＮ  ＧＷであってもよい。
【０２３１】
ステップ１５０２：ターゲットＡＧＷがベアラ設定メッセージをアンカＧＷに送信する。
【０２３２】
ステップ１５０３：アンカＧＷがＰＣＲＦと対話する。
【０２３３】
このステップでは、アンカＧＷがＰＣＲＦを用いてＩＰ−ＣＡＮ修正プロセスを開始し、デフォルトベアラおよび専用ベアラに適用可能なＰＣＣルールを取得し、メッセージがＩＰ−ＣＡＮタイプの情報を保持する。
【０２３４】
ステップ１５０４：アンカＧＷ上のＰＣＥＦがターゲットネットワークに適用可能なＰＣＣルールを受信し、ターゲットネットワークベアラの設定を開始する。そしてソースネットワークとターゲットネットワークのそれぞれに対して適用可能なＰＣＣルールを施行する。
【０２３５】
ステップ１５０５：アンカＧＷが、取得したＰＣＣルールに従ってターゲットＡＧＷとのデフォルトベアラおよび専用ベアラの設定を開始する。
【０２３６】
ステップ１５０６：ＵＥがターゲットネットワークとの接続に成功する。
【０２３７】
ステップ１５０７：アンカＧＷのＰＣＥＦが、ソースネットワークに適用可能なＰＣＣルールを削除する。
【０２３８】
このステップでは、ＵＥがターゲットネットワークへ接続された後、アンカＧＷのＰＣＥＦはソースネットワークに適用可能なＰＣＣルールを削除し、ターゲットネットワークに適用可能なＰＣＣルールのみを施行する。
【０２３９】
ステップ１５０８：切換の残りのステップが完了する。
【０２４０】
図１６は、本発明の第５の実施形態の、切換プロセス中に、アンカＧＷ上のＰＣＥＦがソース／ターゲットネットワークのＰＣＣルールを制御する方法の別のフローチャートである。この実施形態では、ベアラ設定の後にＳＧＥとＰＤＮ  ＧＷとの接続が確立される。図１６に示すように、このプロセスには以下のステップが含まれる。
【０２４１】
ステップ１６０１：ＵＥがターゲットネットワークとの接続を確立し、切換が始まる。
【０２４２】
このステップでは、ターゲットＧＷとアンカＧＷとの間にはデータパスはまだ確立されていなくて、アンカＧＷはＰＤＮ  ＧＷであってもよい。
【０２４３】
ステップ１６０２：ターゲットＡＧＷがアンカＧＷとのデフォルトベアラおよび専用ベアラを設定する。
【０２４４】
ステップ１６０３：ターゲットＡＧＷがベアラ更新メッセージをアンカＧＷに送信する。
【０２４５】
このステップでは、ターゲットＡＧＷがデフォルトベアラおよび専用ベアラの設定を完了した後に、ターゲットＡＧＷがアンカＧＷへベアラ更新メッセージを送信して接続設定要求をする。
【０２４６】
ステップ１６０４：アンカＧＷ上のＰＣＥＦがＰＣＲＦと対話して、ターゲットネットワークに適用可能なＰＣＣルールを取得する。
【０２４７】
ステップ１６０５：アンカＧＷ上のＰＣＥＦがＰＣＣルールを施行する。
【０２４８】
このステップでは、アンカＧＷ上のＰＣＥＦがターゲットネットワークに適用可能なＰＣＣルールを取得し、ソースネットワークとターゲットネットワークのそれぞれに対して適用可能なＰＣＣルールを施行する。例えば、ＰＣＥＦはそれぞれの課金ルールを利用して課金を実施する。このことは、ネットワークのアンカノードでは２組のＰＣＣルールが利用できることを意味している。
【０２４９】
ステップ１６０６：ＵＥがターゲットネットワークとの接続に成功する。
【０２５０】
ステップ１６０７：アンカＧＷのＰＣＥＦが、ソースネットワークに適用可能なＰＣＣルールを削除する。
【０２５１】
このステップでは、ＵＥがターゲットネットワークへ接続された後、アンカＧＷのＰＣＥＦはソースネットワークに適用可能なＰＣＣルールを削除し、ターゲットネットワークに適用可能なＰＣＣルールのみを施行する。
【０２５２】
ステップ１６０８：切換の残りのステップが完了する。
【０２５３】
これまで述べた本発明の実施形態の説明により、本発明の実施形態は、ハードウェア、あるいは必要なハードウェアのプラットフォームと組み合わせたソフトウェアによって実装できることは当業者には理解されるであろう。こうして、本発明の技術的解法をソフトウェア化することもできる。ソフトウェアは、不揮発性メモリ媒体（例えば、ＣＤ−ＲＯＭ，ＵＳＢディスク、移動可能なハードディスク）に格納可能であり、本発明のそれぞれの実施形態に示された方法を実行するためにコンピュータ装置（パソコン、サーバ、ネットワークデバイス）に指令するいくつかの指示を含んでいる。
【０２５４】
本発明はいくつかの例示的実施形態によって説明されたが、本発明はこのような実施形態に制限されるものではない。本発明の精神および範囲から逸脱することなく、当業者がさまざまな修正および変更を本発明に対して行えることは明らかである。以下の特許請求の範囲およびその均等物によって定義される保護範囲にある修正、変更は本発明に含まれることが意図されている。
【図１】
2014207703.tif 000003
【図２】
2014207703.tif 000004
【図３ａ】
2014207703.tif 000005
【図３ｂ】
2014207703.tif 000006
【図３ｃ】
2014207703.tif 000007
【図３ｄ】
2014207703.tif 000008
【図３ｅ】
2014207703.tif 000009
【図４】
2014207703.tif 000010
【図５】
2014207703.tif 000011
【図６】
2014207703.tif 000012
【図７】
2014207703.tif 000013
【図８】
2014207703.tif 000014
【図９】
2014207703.tif 000015
【図１０】
2014207703.tif 000016
【図１１】
2014207703.tif 000017
【図１２】
2014207703.tif 000018
【図１３】
2014207703.tif 000019
【図１４】
2014207703.tif 000020
【図１５】
2014207703.tif 000021
【図１６】
2014207703.tif 000022
【手続補正書】
【提出日】平成26年7月25日(2014.7.25)
【手続補正２】
【補正対象書類名】明細書
【補正対象項目名】０００１
【補正方法】変更
【補正の内容】
【０００１】
本願は、２００８年１１月７日に出願された、国際特許出願ＰＣＴ／ＣＮ２００８／０７２９８７号の継続出願であり、これは、２００７年１１月９日に中国特許庁へ出願された、「最適化Ｉｎｔｅｒ−ＲＡＴ切換を実装するための方法、装置およびシステム」という標題の中国特許出願第２００７１０１６９５８４．５号の優先権を主張するものであり、参照によりその内容全体がここに組み込まれる。
【手続補正３】
【補正対象書類名】明細書
【補正対象項目名】０２５４
【補正方法】変更
【補正の内容】
【０２５４】
本発明はいくつかの例示的実施形態によって説明されたが、本発明はこのような実施形態に制限されるものではない。実施形態の番号は、実施形態の優先順位を示すものではない。本発明の精神および範囲から逸脱することなく、当業者がさまざまな修正および変更を本発明に対して行えることは明らかである。以下の特許請求の範囲およびその均等物によって定義される保護範囲にある修正、変更は本発明に含まれることが意図されている。
【手続補正４】
【補正対象書類名】特許請求の範囲
【補正対象項目名】全文
【補正方法】変更
【補正の内容】
【特許請求の範囲】
【請求項１】
切換を実装するための方法であって、
ターゲットネットワークのサービングゲートウェイ（ＳＧＷ）により、ターゲットネットワークの移動管理エンティティ（ＭＭＥ）からの指示を受信し、前記指示は、ユーザ端末（ＵＥ）に対する前記ターゲットネットワークにおけるユーザプレーンベアラが確立されていないとき、前記ターゲットネットワークのＳＧＷが前記ＵＥに対するページング処理をトリガすることなく受信したダウンリンクデータを一時格納するよう、前記ＳＧＷに指示するために使用され、
前記指示に応じて、前記ターゲットネットワークのＳＧＷにより、前記ＵＥに対する前記ターゲットネットワークにおけるユーザプレーンベアラが確立されていないとき前記ＵＥに対するページング処理をトリガすることなく受信したダウンリンクデータを一時格納する、
方法。
【請求項２】
前記指示は、前記ターゲットネットワークのＭＭＥにより前記ターゲットネットワークのＳＧＷに送信されたベアラ設定メッセージで搬送されるか、又は、
前記指示は、前記ターゲットネットワークのＭＭＥにより前記ターゲットネットワークのＳＧＷに送信されたベアラ設定メッセージであり、前記ベアラ設定メッセージは、前記ＵＥに対する前記ターゲットネットワークにおけるユーザプレーンベアラが確立されていないとき、前記ターゲットネットワークのＳＧＷが前記ＵＥに対するページング処理をトリガすることなく受信したダウンリンクデータを一時格納するよう前記ターゲットネットワークのＳＧＷに指示するために使用される、
請求項１に記載の方法。
【請求項３】
切換を実装するための装置であって、
ターゲットネットワークの移動管理エンティティ（ＭＭＥ）からの指示を受信するよう構成されたレシーバであって、前記指示は、ユーザ端末（ＵＥ）に対する前記ターゲットネットワークにおけるユーザプレーンベアラが確立されていないとき、前記ＵＥに対するページング処理をトリガすることなく受信したダウンリンクデータを当該装置が一時格納するよう指示するために使用される、前記レシーバと、
前記指示に応じて、前記ＵＥに対する前記ターゲットネットワークにおけるユーザプレーンベアラが確立されていないとき、前記ＵＥに対するページング処理をトリガすることなく受信したダウンリンクデータを一時格納するよう構成されたプロセッサと、
を含む、装置。
【請求項４】
前記指示は、前記ターゲットネットワークのＭＭＥにより当該装置に送信されたベアラ設定メッセージで搬送されるか、又は、
前記指示は、前記ターゲットネットワークのＭＭＥにより当該装置に送信されたベアラ設定メッセージであり、前記ベアラ設定メッセージは、前記ＵＥに対する前記ターゲットネットワークにおけるユーザプレーンベアラが確立されていないとき、当該装置が前記ＵＥに対するページング処理をトリガすることなく受信したダウンリンクデータを一時格納するよう当該装置に指示するために使用される、
請求項３に記載の装置。